(57)【要約】  諸収差が良好に補正され、移動するレンズの外径と、移動するレンズ群の近くに位置するレンズの外径が、十分に小さい広角光学系及びそれを用いた撮像装置を提供する。  広角光学系は、物体側から順に、負の屈折力を有する第１レンズ群Ｇ１と、正の屈折力を有する第２レンズ群Ｇ２と、正の屈折力を有する第３レンズ群Ｇ３と、を備え、遠点から近点に焦点位置調節するときに、第２レンズ群Ｇ２が、第１の位置から第２の位置に向かって移動し、第３レンズ群Ｇ３は３つ以上のレンズ成分を有し、３つ以上のレンズ成分は、第１レンズ成分と、第２レンズ成分と、を有し、第１レンズ成分は単レンズで、第２レンズ成分は接合レンズであり、以下の条件式（１）を満足する。  −０．６０＜（ｎ2C’−ｎ2C）／ｒ2C＜−０．０５      （１）
2020178884.tif 000002
【特許請求の範囲】
【請求項１】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
以下の条件式（１）を満足することを特徴とする広角光学系。
−０．６０＜（ｎ2C’−ｎ2C）／ｒ2C＜−０．０５      （１）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
である。
【請求項２】
前記第１レンズ成分は正の屈折力を有することを特徴とする請求項１に記載の広角光学系。
【請求項３】
｜ｎ2C’−ｎ2C｜の値が０．２５以上であることを特徴とする請求項１に記載の広角光学系。
【請求項４】
前記第３レンズ群は、４つ以上のレンズ成分を有し、かつ、
屈折率差の値が０．２５以上の接合面を２つ以上有することを特徴とする請求項１に記載の広角光学系。
ここで、
前記屈折率差は、物体側屈折率と像側屈折率との差、
前記物体側屈折率は、前記レンズ成分の接合面の物体側に位置し、且つ前記接合面と隣接する媒質のｄ線に対する屈折率、
前記像側屈折率は、前記レンズ成分の接合面の像側に位置し、且つ前記接合面と隣接する媒質のｄ線に対する屈折率、
である。
【請求項５】
前記第３レンズ群は、正の屈折力を有するレンズ成分を３つ、４つ、又は５つ含むことを特徴とする請求項１に記載の広角光学系。
【請求項６】
前記第３レンズ群の最も像側に位置する接合レンズは、物体側から順に、正レンズと、負レンズと、を有することを特徴とする請求項１に記載の広角光学系。
【請求項７】
前記第３レンズ群の最も像側に、単レンズ群が配置され、
前記単レンズ群は、２つの単レンズからなるか、又は３つの単レンズからなり、
前記単レンズ群の物体側に、接合レンズが前記単レンズ群と隣接して配置され、
前記接合レンズは、物体側から順に、正レンズと、負レンズと、を有することを特徴とする請求項１に記載の広角光学系。
【請求項８】
前記第３レンズ群の最も像側に、１つの単レンズが配置され、
前記単レンズの物体側に、接合レンズが前記単レンズと隣接して配置され、
前記接合レンズは、物体側から順に、正レンズと、負レンズと、を有することを特徴とする請求項１に記載の広角光学系。
【請求項９】
以下の条件式（２）を満足することを特徴とする請求項１に記載の広角光学系。
０．０５＜ｆL／R31F＜１．２      （２）
ここで、
R31Fは、前記第１レンズ成分の物体側の面の曲率半径、
ｆLは、前記第１の位置における前記広角光学系の焦点距離、
である。
【請求項１０】
前記第３レンズ群は、Ｎ枚の接合面SNi（i＝１、２、…Ｎ）を含み、
以下の条件式（３）を満足することを特徴とする請求項１に記載の広角光学系。
−１．０＜ｆL×ΣPSNi＜−０．０５      （３）
ここで、
PSNiは、前記接合面SNiの屈折力であって、以下の式（４）で表され、
PSNi＝（ｎSNi’−ｎSNi）／ｒSNi      （４）
ｎSNiは、前記接合面SNiの物体側に位置する媒質のｄ線に対する屈折率、
ｎSNi’は、前記接合面SNiの像側に位置する媒質のｄ線に対する屈折率、
ｒSNiは、前記接合面SNiの光軸近傍における曲率半径、
ｆLは、前記第１の位置における前記広角光学系の焦点距離、
である。
【請求項１１】
前記第３レンズ群は、接合レンズのなかで最も像側に位置する接合レンズと、最も像側に位置するレンズ成分と、を有し、
最も像側に位置する前記接合レンズは、正の屈折力を有し、
最も像側に位置する前記レンズ成分は、正の単レンズであり、
以下の条件式（５）を満足することを特徴とする請求項１から１０のいずれか一項に記載の広角光学系。
−２＜（R3R1＋R3R2）／（R3R1−R3R2）＜２      （５）
ここで、
R3R1は、前記正の単レンズの物体側の面の曲率半径、
R3R2は、前記正の単レンズの像側の面の曲率半径、
である。
【請求項１２】
前記第３レンズ群は、接合レンズのなかで最も像側に位置する接合レンズと、最も像側に位置するレンズ成分と、を有し、
最も像側に位置する前記接合レンズは、負の屈折力を有し、
最も像側に位置する前記レンズ成分は、正の単レンズであり、
以下の条件式（６）を満足することを特徴とする請求項１から１０のいずれか一項に記載の広角光学系。
−５＜（’R3R1＋’R3R2）／（’R3R1−’R3R2）＜１      （６）
ここで、
’R3R1は、前記正の単レンズの物体側の面の曲率半径、
’R3R2は、前記正の単レンズの像側の面の曲率半径、
である。
【請求項１３】
前記第３レンズ群の最も像側に位置する接合面が、以下の条件式（７）を満足することを特徴とする請求項１から１０のいずれか一項に記載の広角光学系。
−１．０＜ｆL／ｒSNr＜０．６      （７）
ここで、
ｒSNｒは、前記最も像側に位置する接合面の光軸近傍における曲率半径、
ｆLは、前記第１の位置における前記広角光学系の焦点距離、
である。
【請求項１４】
前記第３レンズ群は、複数の正レンズを有し、
前記複数の正レンズは、第１正レンズと、第２正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、
以下の条件式（８）を満足することを特徴とする請求項１乃至１０のいずれか一項に記載の広角光学系。
−７０＜ν31P−ν32P＜２０      （８）
ここで、
ν31Pは、前記第１正レンズのアッベ数、
ν32Pは、前記第２正レンズのアッベ数、
である。
【請求項１５】
前記第３レンズ群は、複数の正レンズを有し、
前記複数の正レンズは、第１正レンズと、第２正レンズと、第３正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、前記第３正レンズは、前記複数の正レンズのなかで、物体側から３番目に位置する正レンズであり、
以下の条件式（９）を満足することを特徴とする請求項１乃至１０のいずれか一項に記載の広角光学系。
−４０＜ν33P−（ν31P＋ν32P）／２＜６０      （９）
ここで、
ν31Pは、前記第１正レンズのアッベ数、
ν32Pは、前記第２正レンズのアッベ数、
ν33Pは、前記第３正レンズのアッベ数、
である。
【請求項１６】
前記第３レンズ群は、複数の負レンズを有し、
前記複数の負レンズは、第１負レンズと、第２負レンズと、を有し、前記第１負レンズは、前記複数の負レンズのなかで、最も物体側に位置する負レンズであり、前記第２負レンズは、前記複数の負レンズのなかで、物体側から２番目に位置する負レンズであり、
以下の条件式（１０）を満足することを特徴とする請求項１乃至１０のいずれか一項に記載の広角光学系。
−３０＜ν31N−ν32N＜４０      （１０）
ここで、
ν31Nは、前記第１負レンズのアッベ数、
ν32Nは、前記第２負レンズのアッベ数、
である。
【請求項１７】
前記第３レンズ群は焦点位置調節時には固定であることを特徴とする請求項１乃至１０のいずれか一項に記載の広角光学系。
【請求項１８】
以下の条件式（１１）を満足することを特徴とする請求項１乃至１０のいずれか一項に記載の広角光学系。
−５０＜（R21F＋R21R）／（R21F−R21R）＜１０      （１１）
ここで、
R21Fは、所定のレンズ成分の物体側の面の曲率半径、
R21Rは、前記所定のレンズ成分の像側の面の曲率半径、
前記所定のレンズ成分は、前記第２レンズ群で最も物体側に位置するレンズ成分、
である。
【請求項１９】
以下の条件式（１２）を満足することを特徴とする請求項１乃至１０のいずれか一項に記載の広角光学系。
０．２＜D21／ｆL＜３．０      （１２）
ここで、
D21は、前記第２レンズ群の最も物体側の面と最も像側の面との光軸上の距離、
ｆLは、前記第１の位置における前記広角光学系の焦点距離、
である。
【請求項２０】
以下の条件式（１３）を満足することを特徴とする請求項１乃至１０のいずれか一項に記載の広角光学系。
１．０１＜β2F＜１．５０      （１３）
ここで、
β2Fは、前記第１の位置における前記第２レンズ群の倍率、
である。
【請求項２１】
以下の条件式（１４）を満足することを特徴とする請求項１乃至１０のいずれか一項に記載の広角光学系。
１．０１＜β2N／β2F＜１．３０      （１４）
ここで、
β2Fは、前記第１の位置における前記第２レンズ群の倍率、
β2Nは、前記第２の位置における前記第２レンズ群の倍率、
である。
【請求項２２】
以下の条件式（１５）を満足することを特徴とする請求項１乃至１０のいずれか一項に記載の広角光学系。
０．１０＜（１−β2F2）×β3F2＜０．５５      （１５）
ここで、
β2Fは、前記第１の位置における前記第２レンズ群の倍率、
β3Fは、前記第１の位置における前記第３レンズ群の倍率、
である。
【請求項２３】
以下の条件式（１６）を満足することを特徴とする請求項１乃至１０のいずれか一項に記載の広角光学系。
０．２０＜（１−β2N2）×β3N2＜０．６５      （１６）
ここで、
β2Nは、前記第２の位置における前記第２レンズ群の倍率、
β3Nは、前記第２の位置における前記第３レンズ群の倍率、
である。
【請求項２４】
前記第２レンズ群は、正レンズのみを有することを特徴とする請求項１乃至１０のいずれか一項に記載の広角光学系。
【請求項２５】
前記第１レンズ群は、複数の負の単レンズのみを有し、
前記複数の負の単レンズのそれぞれが、前記第３レンズ群の最も物体側の正レンズよりも大きいアッベ数を有することを特徴とする請求項１乃至１０のいずれか一項に記載の広角光学系。
【請求項２６】
以下の条件式（１７）を満足することを特徴とする請求項２５に記載の広角光学系。
０．２＜SD1／ｆL＜６．０      （１７）
ここで、
SD1は、前記第１レンズ群の最も物体側の面頂から前記第１レンズ群の最も像側の面頂までの距離、
ｆLは、前記第１の位置における前記広角光学系の焦点距離、
である。
【請求項２７】
前記第１レンズ群は、第４レンズ成分と、第５レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、
前記第４レンズ成分は、負レンズ成分からなり、
前記第５レンズ成分は、接合レンズからなり、
以下の条件式（１８）を満足することを特徴とする請求項１乃至１０のいずれか一項に記載の広角光学系。
−１．０＜ｆL／R12Fa＜０．５      （１８）
ここで、
R12Faは、前記第５レンズ成分の物体側の面の曲率半径、
ｆLは、前記第１の位置における前記広角光学系の焦点距離、
である。
【請求項２８】
前記第１レンズ群は、第４レンズ成分と、第５レンズ成分と、第６レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、前記第６レンズ成分は、前記第１レンズ群において、物体側から３番目に位置するレンズ成分であり、
前記第４レンズ成分は、負レンズ成分からなり、
前記第５レンズ成分は、前記第４レンズ成分よりも屈折力の絶対値が小さいレンズ成分からなり、
前記第６レンズ成分は、接合レンズからなり、
以下の条件式（１９）を満足することを特徴とする請求項１乃至１０のいずれか一項に記載の広角光学系。
−１．０＜ｆL／R12Fb＜０．５      （１９）
ここで、
R12Fbは、前記第６レンズ成分の物体側の面の曲率半径、
ｆLは、前記第１の位置における前記広角光学系の焦点距離、
である。
【請求項２９】
前記第１レンズ群は、第４レンズ成分と、第５レンズ成分と、第６レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、前記第６レンズ成分は、前記第１レンズ群において、物体側から３番目に位置するレンズ成分であり、
前記第４レンズ成分は、負レンズ成分からなり、
前記第５レンズ成分は、負レンズ成分からなり、
前記第６レンズ成分は、正レンズ成分からなり、
以下の条件式（２０）を満足することを特徴とする請求項１乃至１０のいずれか一項に記載の広角光学系。
−１．０＜ｆL／R12Fc＜０．５      （２０）
ここで、
R12Fcは、前記第５レンズ成分の物体側の面の曲率半径、
ｆLは、前記第１の位置における前記広角光学系の焦点距離、
である。
【請求項３０】
前記第１レンズ群は、負レンズ成分と、正レンズ成分と、を有し、
以下の条件式（２１）を満足することを特徴とする請求項１乃至１０のいずれか一項に記載の広角光学系。
−０．４＜ｆL／R12R＜０．０２      （２１）
ここで、
R12Rは、前記正レンズ成分の像側の面の曲率半径、
ｆLは、前記第１の位置における前記広角光学系の焦点距離、
である。
【請求項３１】
前記第１レンズ群は、第４レンズ成分と、第５レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、
以下の条件式（２２）を満足することを特徴とする請求項１乃至１０のいずれか一項に記載の広角光学系。
−１．０＜ｆL／ｆL12＜０．４      （２２）
ここで、
ｆL12は、前記第５レンズ成分の焦点距離、
ｆLは、前記第１の位置における前記広角光学系の焦点距離、
である。
【請求項３２】
以下の条件式（２３）を満足することを特徴とする請求項１乃至３１のいずれか一項に記載の広角光学系。
１００×｜ｆfin｜＜｜Ｒfin｜      （２３）
ここで、
ｆfinは、像側レンズ成分の焦点距離、
Ｒfinは、前記像側レンズ成分の像側の面の曲率半径、
前記像側レンズ成分は、前記複数のレンズ成分のなかで、最も像側に位置するレンズ成分、
である。
【請求項３３】
像側レンズ成分と、屈折力がゼロの光学素子と、を有し、
前記像側レンズ成分は、前記複数のレンズ成分のなかで、最も像側に位置し、
前記光学素子は、前記像側レンズ成分の像側に位置し、
前記像側レンズ成分と前記光学素子は接合されていることを特徴とする請求項１乃至３１のいずれか一項に記載の広角光学系。
【請求項３４】
以下の条件式（２４）を満足することを特徴とする請求項１に記載の広角光学系。
２ｙmax＜ｆL×tanωmax      （２４）
ここで、
ｙmaxは、最大像高、
ωmaxは、前記最大像高に対応した画角、
ｆLは、前記第１の位置における前記広角光学系の焦点距離、
である。
【請求項３５】
以下の条件式（２５）を満足することを特徴とする請求項１に記載の広角光学系。
ＥＲ2＜４×ｆL／ＦEX      （２５）
ここで、
ＥＲ2は、前記第２レンズ成分の最も像側の面の有効半径、
ＦEXは、前記第１の位置における有効Ｆ値、
ｆLは、前記第１の位置における前記広角光学系の焦点距離、
である。
【請求項３６】
光学系と、像面に配置された撮像素子と、を有し、
前記撮像素子は撮像面を有し、且つ前記光学系によって前記撮像面上に形成された像を電気信号に変換し、
前記光学系が請求項１から３５のいずれか一項に記載の広角光学系であることを特徴とする撮像装置。
【発明の詳細な説明】
【技術分野】
【０００１】
本発明は、広角光学系及びそれを備えた撮像装置に関する。
【背景技術】
【０００２】
広い画角を有する光学系として、内視鏡用対物光学系が知られている。内視鏡用対物光学系には、画角が１００度を超えるような広角光学系が用いられている。【０００３】
従来の内視鏡では、画素数が少ない撮像素子が用いられていた。そのため、内視鏡用対物光学系には、固定焦点の光学系が用いられていた。固定焦点の光学系を用いても、観察する必要のある被写体距離の範囲（観察深度）を、被写界深度でカバーすることができていた。【０００４】
しかし、近年では、観察像質を向上するために、画素数が多い撮像素子が用いられるようになってきた、画素数が多い撮像素子が用いられる内視鏡では、光学系にも高い分解能が要求される。【０００５】
光学系に高い分解能を持たせると、被写界深度が、必要な観察深度よりも狭くなる。そのため、必要な観察深度を、ピントの合った状態で観察することが困難になる。このようなことから、光学系に焦点位置を調節する機能を持たせる必要が出てきた。【０００６】
焦点位置が調節できる内視鏡用対物光学系が、知られている。この内視鏡用対物光学系では、焦点位置の調整に、インナーフォーカスが用いられている。インナーフォーカスを行うために、光学系の周囲にアクチュエーターが設けられている。【０００７】
光学ユニットは、例えば、光学系とアクチュエーターとを含む。内視鏡では、光学ユニットを密封する必要がある。また、画角が１４０°以上であることや、アクチュエーターのサイズや出力に制限がある。そのため、焦点位置調節では、光学系を移動させることが困難である。軽量で省スペースなインナーフォーカスが必要である。【０００８】
インナーフォーカスを用いた内視鏡用対物光学系が、特許文献１と特許文献２に開示されている。
【先行技術文献】
【特許文献】
【０００９】
【特許文献１】国際公開第２０１４／１２９０８９号
【特許文献２】国際公開第２０１６／０６７８３８号
【発明の概要】
【発明が解決しようとする課題】
【００１０】
しかしながら、特許文献１の内視鏡用対物光学系と、特許文献２の内視鏡用対物光学系では、移動するレンズの外径と、移動するレンズ群の近くに位置するレンズの外径が、十分に小さいとは言えない。そのため、光学ユニットの更なる小型化が難しい。【００１１】
また、レンズの移動では、レンズの偏心やレンズ面の倒れを少なくすることが望ましい。そのためには、アクチュエーターの光軸方向へのサイズを小さくする必要がある。しかしながら、特許文献１の内視鏡用対物光学系と、特許文献２の内視鏡用対物光学系では、アクチュエーターの小型化が難しい。【００１２】
本発明は、このような課題に鑑みてなされたものであって、諸収差が良好に補正され、移動するレンズの外径と、移動するレンズ群の近くに位置するレンズの外径が、十分に小さい広角光学系及びそれ用いた撮像装置を提供することを目的とする。
【課題を解決するための手段】
【００１３】
上述した課題を解決し、目的を達成するために、本発明の少なくとも幾つかの実施形態に係る広角光学系は、
レンズ成分を有する広角光学系であって、
レンズ成分は、複数の光学面を有し、
レンズ成分では、２つの光学面が空気と接触し、且つ、少なくとも１つの光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、第２レンズ群が、第１の位置から第２の位置に向かって移動し、第１の位置は、第１レンズ群と第２レンズ群との間隔が最小となる位置であり、第２の位置は、第２レンズ群と第３レンズ群との間隔が最小となる位置であり、
第３レンズ群は３つ以上のレンズ成分を有し、
３つ以上のレンズ成分は、第１レンズ成分と、第２レンズ成分と、を有し、第１レンズ成分は、第３レンズ群において、最も物体側に位置するレンズ成分であり、第２レンズ成分は、第３レンズ群において、物体側から２番目に位置するレンズ成分であり、
第１レンズ成分は単レンズで、第２レンズ成分は接合レンズであり、
以下の条件式（１）を満足することを特徴とする。
−０．６０＜（ｎ2C’−ｎ2C）／ｒ2C＜−０．０５      （１）
ここで、
ｎ2Cは、第２レンズ成分の接合面の物体側に位置する媒質のｄ線に対する屈折率、
ｎ2C’は、第２レンズ成分の接合面の像側に位置する媒質のｄ線に対する屈折率、
ｒ2Cは、接合面の曲率半径、
である。【００１４】
また、本発明の撮像装置は、
光学系と、像面に配置された撮像素子と、を有し、
撮像素子は撮像面を有し、且つ光学系によって撮像面上に形成された像を電気信号に変換し、
光学系が上述の広角光学系であることを特徴とする。
【発明の効果】
【００１５】
本発明によれば、諸収差が良好に補正され、移動するレンズの外径と、移動するレンズ群の近くに位置するレンズの外径が、十分に小さい広角光学系及びそれ用いた撮像装置を提供することができる。
【図面の簡単な説明】
【００１６】
【図１】実施例１の広角光学系のレンズ断面図である。
【図２】実施例２の広角光学系のレンズ断面図である。
【図３】実施例３の広角光学系のレンズ断面図である。
【図４】実施例４の広角光学系のレンズ断面図である。
【図５】実施例５の広角光学系のレンズ断面図である。
【図６】実施例６の広角光学系のレンズ断面図である。
【図７】実施例７の広角光学系のレンズ断面図である。
【図８】実施例８の広角光学系のレンズ断面図である。
【図９】実施例９の広角光学系のレンズ断面図である。
【図１０】実施例１０の広角光学系のレンズ断面図である。
【図１１】実施例１１の広角光学系のレンズ断面図である。
【図１２】実施例１２の広角光学系のレンズ断面図である。
【図１３】実施例１３の広角光学系のレンズ断面図である。
【図１４】実施例１４の広角光学系のレンズ断面図である。
【図１５】実施例１の広角光学系の収差図である。
【図１６】実施例２の広角光学系の収差図である。
【図１７】実施例３の広角光学系の収差図である。
【図１８】実施例４の広角光学系の収差図である。
【図１９】実施例５の広角光学系の収差図である。
【図２０】実施例６の広角光学系の収差図である。
【図２１】実施例７の広角光学系の収差図である。
【図２２】実施例８の広角光学系の収差図である。
【図２３】実施例９の広角光学系の収差図である。
【図２４】実施例１０の広角光学系の収差図である。
【図２５】実施例１１の広角光学系の収差図である。
【図２６】実施例１２の広角光学系の収差図である。
【図２７】実施例１３の広角光学系の収差図である。
【図２８】実施例１４の広角光学系の収差図である。
【図２９】内視鏡システムの概略構成を示す図である。
【図３０】内視鏡の光学系の構成を示す図である。
【図３１】撮像装置の光学系の構成を示す図である。
【図３２】撮像装置の概略構成を示す図である。
【図３３】物体、対物光学系、及び光路分割素子の位置関係を示す図である。
【発明を実施するための形態】
【００１７】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１８】
本実施形態の広角光学系は、レンズ成分を有する広角光学系であって、レンズ成分は、複数の光学面を有し、レンズ成分では、２つの光学面が空気と接触し、且つ、少なくとも１つの光学面が曲面であり、物体側から順に、負の屈折力を有する第１レンズ群と、正の屈折力を有する第２レンズ群と、正の屈折力を有する第３レンズ群と、を備え、遠点から近点に焦点位置調節するときに、第２レンズ群が、第１の位置から第２の位置に向かって移動し、第１の位置は、第１レンズ群と第２レンズ群との間隔が最小となる位置であり、第２の位置は、第２レンズ群と第３レンズ群との間隔が最小となる位置であり、第３レンズ群は３つ以上のレンズ成分を有し、３つ以上のレンズ成分は、第１レンズ成分と、第２レンズ成分と、を有し、第１レンズ成分は、第３レンズ群において、最も物体側に位置するレンズ成分であり、第２レンズ成分は、第３レンズ群において、物体側から２番目に位置するレンズ成分でであり、第１レンズ成分は単レンズで、第２レンズ成分は接合レンズであり、以下の条件式（１）を満足することを特徴とする。
−０．６０＜（ｎ2C’−ｎ2C）／ｒ2C＜−０．０５      （１）
ここで、
ｎ2Cは、第２レンズ成分の接合面の物体側に位置する媒質のｄ線に対する屈折率、
ｎ2C’は、第２レンズ成分の接合面の像側に位置する媒質のｄ線に対する屈折率、
ｒ2Cは、接合面の曲率半径、
である。
【００１９】
本実施形態の広角光学系は、例えば、画角が１００度を超える広角光学系に関するものである。近年、高解像度モニターなどの登場により、観察時の画質に、高い画質が求められるようになってきた。本実施形態の広角光学系は、このような要求に対応できる広角光学系である。
【００２０】
また、本実施形態の広角光学系は、インナーフォーカスを用いた光学系である。そのため、インナーフォーカスレンズの周囲に、アクチュエーターが配置される。本実施形態の広角光学系では、光学系の周囲にアクチュエーターが配置されても、光学系全体の外径が小さい。本実施形態の広角光学系は、広い画角を有する光学系でありながらも、光学系の中央部の長い範囲で光線高が低く抑えられた光学系である。
【００２１】
本実施形態の広角光学系は、レンズ成分を有する広角光学系である。レンズ成分は、複数の光学面を有する。レンズ成分では、２つの光学面が空気と接触し、少なくとも１つの光学面が曲面である。レンズ成分には、例えば、単レンズと、接合レンズと、が含まれる。
【００２２】
また、レンズ成分では、レンズと平行平板とが接合されていても良い。この場合、一方の空気と接触する光学面はレンズ面で、他方の空気と接触する光学面は平面である。単レンズと平行平板とが接合されているレンズ成分は、単レンズと見なす。接合レンズと平行平板とが接合されているレンズ成分は、接合レンズと見なす。
【００２３】
また、平凸レンズと平凹レンズとが接合されていても良い。この場合、接合面が曲面で、空気と接触する光学面は平面である。
【００２４】
レンズ成分の物体側の面は、空気と接触する２つの光学面のうち、物体側に位置する光学面である。レンズ成分の像側の面は、空気と接触する２つの光学面のうち、像側に位置する光学面である。レンズ成分が接合レンズの場合、物体側の面と像側の面の間に接合面が位置している。
【００２５】
本実施形態の広角光学系は、物体側から順に負の屈折力を有する第１レンズ群と、正の屈折力を有する第２レンズ群と、正の屈折力を有する第３レンズ群と、を備える。遠点から近点に焦点位置調節するときに、第２レンズ群が、第１の位置から第２の位置に向かって移動する。この移動は、第１レンズ群と第２レンズ群との間隔が広がる方向の移動で、かつ、第２レンズ群と第３レンズ群との間隔が縮まる方向の移動である。
【００２６】
第１の位置は、第１レンズ群と第２レンズ群との間隔が最小となる位置である。第１の位置では、第２レンズ群は、移動範囲のなかで最も物体側に位置している。第１の位置では、遠点に位置する物体に合焦することができる。
【００２７】
第２の位置は、第２レンズ群と第３レンズ群との間隔が最小となる位置である。第２の位置では、第２レンズ群は、移動範囲のなかで最も像側に位置している。第２の位置では、近点に位置する物体に合焦することができる。
【００２８】
第３レンズ群は、３つ以上のレンズ成分を有する。３つ以上のレンズ成分は、第１レンズ成分と、第２レンズ成分と、を有する。第１レンズ成分は、第３レンズ群において、最も物体側に位置するレンズ成分である。第２レンズ成分は、第３レンズ群において、物体側から２番目に位置するレンズ成分である。
【００２９】
第１レンズ成分は単レンズで、第２レンズ成分は接合レンズである。これにより、視野角が大きく、焦点位置の調整範囲内での収差が良好に補正され、高い分解能を有する広角光学系を実現することができる。また、光学系が高い分解能を有することで、画素数が多い撮像素子を使用しても、その画素数に応じた鮮明な画像を取得することができる。
【００３０】
第２レンズ群は、焦点位置調節のために移動する。第２レンズ群の移動には、アクチュエーターが用いられる。アクチュエーターは、第２レンズ群の近傍、または第３レンズ群の近傍に配置される。よって、第２レンズ群の近傍、または第３レンズ群の近傍に、アクチュエーターを配置するための空間を設ける必要がある。
【００３１】
第３レンズ群に、接合レンズを配置することで、第２レンズ群の物体側から第３レンズ群の中央付近までの広い範囲（以下、「所定の範囲」という）で、光線高を低くすることができる。
【００３２】
条件式（１）を満足することにより、所定の範囲で、光線高を低くすることができる。そのため、第２レンズ群の外径と、第３レンズ群の一部の外径とを、小さくすることができる。その結果、アクチュエーターを配置しても、光学ユニットの外径の増大を抑えることができる。
【００３３】
第２レンズ成分の接合面では、像面湾曲を補正することができる。像面湾曲を良好に補正しようとすると、第２レンズ成分の接合面では発散性が強くなる傾向が増す。
【００３４】
値が条件式（１）の上限値を上回る場合、像面湾曲の補正が困難になる。この場合、画角を広くすると、結像性能が劣化する。そのため、広角光学系として必要な結像性能を得ることが困難になる。
【００３５】
値が条件式（１）の下限値を下回る場合、所定の範囲で光線高を低くすることが困難になる。そのため、第２レンズ群の外径と、第３レンズ群の一部の外径とが、大きくなる。その結果、光学ユニットの外径が増大する。
【００３６】
条件式（１）に代えて、以下の条件式（１’）を満足すると良い。
−０．５０＜（ｎ2C’−ｎ2C）／ｒ2C＜−０．０８      （１’）
また、条件式（１）に代えて、以下の条件式（１”）を満足するとなお良い。
−０．４５＜（ｎ2C’−ｎ2C）／ｒ2C＜−０．１０      （１”）
【００３７】
上述のように、ｎ2Cとｎ2C’は屈折率を表している。より詳しくは、ｎ2Cは、第２レンズ成分の接合面の物体側に位置し、且つ接合面と隣接する媒質のｄ線に対する屈折率であり、ｎ2C’は、第２レンズ成分の接合面の像側に位置し、且つ接合面と隣接する媒質のｄ線に対する屈折率である。
【００３８】
本実施形態の広角光学系では、第１レンズ成分は正の屈折力を有することが好ましい。
【００３９】
このようにすることで、第３レンズ群内での光線高を低く保ちつつ、広い画角において結像性能を良好に保つことができる。
【００４０】
本実施形態の広角光学系では、｜ｎ2C’−ｎ2C｜の値が０．２５以上であることが好ましい。
【００４１】
このようにすることで、第３レンズ群内での光線高を低く保ちつつ、広い画角において結像性能を良好に保つことができる。
【００４２】
本実施形態の広角光学系では、第３レンズ群は、４つ以上のレンズ成分を有し、かつ、屈折率差の値が０．２５以上の接合面を２つ以上有することが好ましい。
ここで、
屈折率差は、物体側屈折率と像側屈折率との差、
物体側屈折率は、レンズ成分の接合面の物体側に位置し、且つ接合面と隣接する媒質のｄ線に対する屈折率、
像側屈折率は、レンズ成分の接合面の像側に位置し、且つ接合面と隣接する媒質のｄ線に対する屈折率、
である。
【００４３】
このようにすることで、第３レンズ群内での光線高を低く保ちつつ、広い画角において結像性能を良好に保つことができる。
【００４４】
本実施形態の広角光学系では、第３レンズ群は、正の屈折力を有するレンズ成分を３つ、４つ、又は５つ含むことが好ましい。
【００４５】
このようにすることで、第３レンズ群内での光線高を低く保ちつつ、広い画角において結像性能を良好に保つことができる。
【００４６】
本実施形態の広角光学系では、第３レンズ群の最も像側に位置する接合レンズは、物体側から順に、正レンズと、負レンズと、を有することが好ましい。
【００４７】
このようにすることで、第３レンズ群内での光線高を低く保ちつつ、広い画角において結像性能を良好に保つことができる。
【００４８】
本実施形態の広角光学系では、第３レンズ群の最も像側に、単レンズ群が配置され、単レンズ群は、２つの単レンズからなるか、又は３つの単レンズからなり、単レンズ群の物体側に、接合レンズが単レンズ群と隣接して配置され、接合レンズは、物体側から順に、正レンズと、負レンズと、を有することが好ましい。
【００４９】
このようにすることで、第３レンズ群内での光線高を低く保ちつつ、広い画角において結像性能を良好に保つことができる。
【００５０】
本実施形態の広角光学系では、第３レンズ群の最も像側に、１つの単レンズが配置され、単レンズの物体側に、接合レンズが単レンズと隣接して配置され、接合レンズは、物体側から順に、正レンズと、負レンズと、を有することが好ましい。
【００５１】
このようにすることで、第３レンズ群内での光線高を低く保ちつつ、広い画角において結像性能を良好に保つことができる。
【００５２】
本実施形態の広角光学系は、以下の条件式（２）を満足することが好ましい。
０．０５＜ｆL／R31F＜１．２      （２）
ここで、
R31Fは、第１レンズ成分の物体側の面の曲率半径、
ｆLは、第１の位置における広角光学系の焦点距離、
である。
【００５３】
条件式（２）は、第３レンズ群の最も物体側の面の収斂性を規定した条件式である。第３レンズ群の最も物体側には、第１レンズ成分が位置している。よって、条件式（２）は、第１レンズ成分の物体側の面の収斂性を規定した条件式である。
【００５４】
レンズ面の曲率が大きいほど、レンズ面における光線の収斂性も強くなる。第１レンズ成分の物体側の面は、第３レンズ群において最も物体側に位置している。第１レンズ成分の物体側の面の曲率を適切な大きさにすることで、第３レンズ群における光線高を低く抑えることができる。
【００５５】
値が条件式（２）の上限値を上回る場合、球面収差とコマ収差が発生し易くなるか、あるいは製造誤差感度が高くなり易い。画素数が多い撮像素子を使用しても、その画素数に応じた鮮明な画像の取得が困難になる。また、所望のバックフォーカスの確保も困難となる。値が条件式（２）の下限値を下回る場合、光線高が高くなる。そのため、本実施形態の広角光学系を内視鏡の光学系に用いた場合、挿入部の径が大きくなる。
【００５６】
条件式（２）に代えて、以下の条件式（２’）を満足すると良い。
０．１０＜ｆL／R31F＜０．９０      （２’）
また、条件式（２）に代えて、以下の条件式（２”）を満足するとなお良い。
０．１５＜ｆL／R31F＜０．７０      （２”）
【００５７】
条件式（２）を満足する光学系は、上限値よりも小さい値を有する。光学系における値が小さくなるほど、その光学系では、収差を良好に補正し易くなるか、あるいは所望のバックフォーカスを確保しやすくなる。
【００５８】
条件式（２）については、好ましい上限値を設定することができる。上限値は、０．５９７２９、０．５５、０．５０のいずれかにすることが好ましい。このようにすることで、良好な収差補正が行える。
【００５９】
良好な収差補正を優先したい場合、あるいは所望のバックフォーカスの確保を優先したい場合は、０．２０から０．４５までが、条件式（２）の最良の範囲と言える。所定の範囲における低い光線高の確保を優先したい場合は、０．４０から０．６５までが、条件式（２）の最良の範囲と言える。
【００６０】
本実施形態の広角光学系では、第３レンズ群は、Ｎ枚の接合面SNi（i＝１、２、…Ｎ）を含み、以下の条件式（３）を満足することが好ましい。
−１．０＜ｆL×ΣPSNi＜−０．０５      （３）
ここで、
PSNiは、接合面SNiの屈折力であって、以下の式（４）で表され、
PSNi＝（ｎSNi’−ｎSNi）／ｒSNi      （４）
ｎSNiは、接合面SNiの物体側に位置する媒質のｄ線に対する屈折率、
ｎSNi’は、接合面SNiの像側に位置する媒質のｄ線に対する屈折率、
ｒSNiは、接合面SNiの光軸近傍における曲率半径、
ｆLは、第１の位置における広角光学系の焦点距離、
である。
【００６１】
条件式（３）は、第３レンズ群に含まれる接合面の屈折力を規定した条件式である。所定の範囲では、光束径を細くした状態を保つ必要がある。一方で、近軸量の確保、例えば、焦点距離の確保、又はバックフォーカスの確保も重要である。
【００６２】
所定の範囲で光線高を低くするために、第３レンズ群では、物体側に位置するレンズ成分に、強い収斂性を持たせている。近軸量を確保するためには、物体側に位置するレンズ成分よりも像側に、強い発散性を有するレンズ成分を配置することが好ましい。
【００６３】
本実施形態の広角光学系では、第３レンズ群は、Ｎ枚の接合面SNiを含んでいる。Ｎ枚の接合面SNiは、像面湾曲の補正を主な目的として用いられている。接合面SNiには、低屈折力の正レンズと高屈折率の負レンズとの接合によって形成された接合面が用いられている。そのため、接合面SNiは、強い発散性を有する。
【００６４】
接合面SNiを第３レンズ群に配置することで、所定の範囲における低い光線高の維持と、適切な近軸量の確保と、が容易にできる。接合面SNiは、所定の範囲の像側、例えば、第３レンズ群の中央部に配置することが好ましい。
【００６５】
値が条件式（３）の上限値を上回る場合、所定の範囲の像側での光線の発散性が弱くなる。そのため、所望の近軸量の確保が困難になるか、又は、所定の範囲における低い光線高の確保が困難となる。
【００６６】
一方、値が条件式（３）の下限値を下回る場合、球面収差とコマ収差が発生し易くなるか、あるいは製造誤差感度が高くなり易い。画素数が多い撮像素子を使用しても、その画素数に応じた鮮明な画像の取得が困難になる。
【００６７】
条件式（３）に代えて、以下の条件式（３’）を満足すると良い。
−０．９＜ｆL×ΣPSNi＜−０．１      （３’）
また、条件式（３）に代えて、以下の条件式（３”）を満足するとなお良い。
−０．８＜ｆL×ΣPSNi＜−０．１５      （３”）
【００６８】
条件式（３）については、好ましい下限値を設定することができる。下限値は、−０．７１７４７、−０．６５、−０．６０、−０．５５のいずれかにすることが好ましい。このようにすることで、良好な収差補正が行える。
【００６９】
良好な収差補正を優先したい場合は、−０．５０から−０．２０までが、条件式（３）の最良の範囲と言える。所定の範囲における低い光線高の確保を優先したい場合は、−０．７５から−０．４５までが、条件式（３）の最良の範囲と言える。
【００７０】
条件式（２）を満足するか、又は、条件式（３）を満足することで、所定の範囲における低い光線高の確保、又は所望の近軸量の確保を容易に行える。条件式（２）と条件式（３）の両方を満足すると、より良い。
【００７１】
ただし、条件式（２）と条件式（３）の両方を満足すると、非点収差の補正が困難になりやすい。そこで、第３レンズ群では、非点収差も良好に補正する必要がある。
【００７２】
上述のように、ｎSNiとｎSNi’は屈折率を表している。より詳しくは、ｎSNiは、接合面SNiの物体側に位置し、且つ接合面SNiと隣接する媒質のｄ線に対する屈折率であり、ｎSNi’は、接合面SNiの像側に位置し、且つ接合面SNiと隣接する媒質のｄ線に対する屈折率である。
【００７３】
本実施形態の広角光学系では、第３レンズ群は、接合レンズのなかで最も像側に位置する接合レンズと、最も像側に位置するレンズ成分と、を有し、最も像側に位置する接合レンズは、正の屈折力を有し、最も像側に位置するレンズ成分は、正の単レンズであり、以下の条件式（５）を満足することが好ましい。
−２＜（R3R1＋R3R2）／（R3R1−R3R2）＜２      （５）
ここで、
R3R1は、正の単レンズの物体側の面の曲率半径、
R3R2は、正の単レンズの像側の面の曲率半径、
である。
【００７４】
第３レンズ群は、最も像側に位置する接合レンズ（以下、「接合レンズＡ」という）を有する。第３レンズ群に配置された接合レンズが一つの場合、その接合レンズが接合レンズＡに対応する。
【００７５】
光学系の中央を境にして、光学系を物体側と像側の２つに分けると、接合レンズＡは像側に位置している。適切なバックフォーカスの確保を重視する場合、接合レンズＡの屈折力を正の屈折力にすると良い。
【００７６】
この場合、光学系の物体側だけでなく、光学系の像側でも大きな正の屈折力が必要となる。そこで、最も像側に位置するレンズ成分を正の単レンズにすると共に、条件式（５）を満足することが好ましい。このようにすることで、非点収差の発生を抑制することができる。
【００７７】
値が条件式（５）の上限値を上回る場合、あるいは値が条件式（５）の下限値を下回る場合、非点収差を良好に補正することが困難になる。
【００７８】
条件式（５）に代えて、以下の条件式（５’）を満足すると良い。
−１．６＜（R3R1＋R3R2）／（R3R1−R3R2）＜１．３      （５’）
また、条件式（５）に代えて、以下の条件式（５”）を満足するとなお良い。
−１．３＜（R3R1＋R3R2）／（R3R1−R3R2）＜０．８      （５”）
【００７９】
本実施形態の広角光学系では、第３レンズ群は、接合レンズのなかで最も像側に位置する接合レンズと、最も像側に位置するレンズ成分と、を有し、最も像側に位置する接合レンズは、負の屈折力を有し、最も像側に位置するレンズ成分は、正の単レンズであり、以下の条件式（６）を満足することが好ましい。
−５＜（’R3R1＋’R3R2）／（’R3R1−’R3R2）＜１      （６）
ここで、
’R3R1は、正の単レンズの物体側の面の曲率半径、
’R3R2は、正の単レンズの像側の面の曲率半径、
である。
【００８０】
適切なバックフォーカスの確保よりも、光学系の全長の短縮が重視される場合がある。この場合、光学系の物体側では大きな正の屈折力が必要になるので、像側では大きな負の屈折力が必要となる。
【００８１】
接合レンズＡは、接合レンズのなかで、最も像側に位置する。よって、接合レンズＡの屈折力を負の屈折力にすることで、像側では大きな負の屈折力を得ることができる。ただし、このようにすると、非点収差が発生し易くなるか、又は、軸外光線の射出角が大きくなり易い。
【００８２】
この場合、最も像側に位置するレンズ成分を正の単レンズにすると共に、条件式（６）を満足することが好ましい。このようにすることで、負の屈折力の接合レンズの後側に、正の単レンズが配置されることになる。そのため、非点収差の増大を相殺できるか、又は、軸外光線の射出角の増大を相殺できる。
【００８３】
値が条件式（６）の上限値を上回る場合、上述の相殺作用が弱まり易くなる。値が条件式（６）の下限値を下回る場合、非点収差の発生が増大するか又、は、正の単レンズの有効径を十分に確保できない。正の単レンズの有効径を十分に確保しようとすると、バックフォーカスが長くなり過ぎる。そのため、光学系の全長が長くなってしまう。
【００８４】
第３レンズ群の最も像側に位置するレンズ成分では、軸外光線の光線高が高い。そのため、このレンズ成分に接合レンズを用いると、レンズ成分としての厚みが増大し易くなる。その結果、十分なバックフォーカスの確保、あるいは光学系の全長の短縮が困難になる。
【００８５】
条件式（６）に代えて、以下の条件式（６’）を満足すると良い。
−４．７＜（’R3R1＋’R3R2）／（’R3R1−’R3R2）＜０．８      （６’）
また、条件式（６）に代えて、以下の条件式（６”）を満足するとなお良い。
−４．５＜（’R3R1＋’R3R2）／（’R3R1−’R3R2）＜０．６      （６”）
【００８６】
本実施形態の広角光学系では、第３レンズ群の最も像側に位置する接合面が、以下の条件式（７）を満足することが好ましい。
−１．０＜ｆL／ｒSNr＜０．６      （７）
ここで、
ｒSNｒは、最も像側に位置する接合面の光軸近傍における曲率半径、
ｆLは、第１の位置における広角光学系の焦点距離、
である。
【００８７】
屈折率差が大きい接合面や、又は、曲率が大きい接合面では、軸外の高次収差が発生し易い。軸外の高次収差は、例えば、非点収差と倍率色収差である。軸外の高次収差の発生を抑制するためには、接合面の曲率中心の位置ができるだけ光学系の瞳位置に近いことが望まれる。
【００８８】
値が条件式（７）の上限値を上回る場合、あるいは値が条件式（７）の下限値を下回る場合、軸外の高次収差が発生し易くなる。
【００８９】
条件式（７）に代えて、以下の条件式（７’）を満足すると良い。
−０．９＜ｆL／ｒSNr＜０．０      （７’）
また、条件式（７）に代えて、以下の条件式（７”）を満足するとなお良い。
−０．８＜ｆL／ｒSNr＜−０．３      （７”）
【００９０】
第３レンズ群の最も像側に位置する接合面では、接合面の物体側に正レンズが位置し、接合面の像側に負レンズが位置していることが好ましい。
【００９１】
所定の範囲での光線高の抑制、設計時の収差補正、および製造時の収差悪化の防止を同時に実現する手段として、色収差補正の自由度を高めることが挙げられる。色収差補正の自由度を高めるには、レンズに用いる媒質に、適切な媒質を用いれば良い。
【００９２】
レンズの曲率や厚みを適切に設定することで、球面収差、コマ収差、及び非点収差を良好に補正でき、レンズに用いる媒質に適切な硝材を選択することで、色収差を良好に補正できる。
【００９３】
例えば、内視鏡光学系では、各レンズの厚みが光学系の焦点距離に対して大きい。このような光学系では、軸上色収差の補正と倍率色収差の補正との両立が困難である。
【００９４】
しかしながら、本実施形態の広角光学系では、第３レンズ群に、複数のレンズ成分が配置されている。よって、物体側の位置するレンズ成分の媒質と、像側に位置するレンズ成分の媒質と、を適切に設定することができる。その結果、軸上色収差の補正と倍率色収差の補正との両立ができる。
【００９５】
本実施形態の広角光学系では、第３レンズ群は、複数の正レンズを有し、複数の正レンズは、第１正レンズと、第２正レンズと、を有し、第１正レンズは、複数の正レンズのなかで、最も物体側に位置する正レンズであり、第２正レンズは、複数の正レンズのなかで、物体側から２番目に位置する正レンズであり、以下の条件式（８）を満足することが好ましい。
−７０＜ν31P−ν32P＜２０      （８）
ここで、
ν31Pは、第１正レンズのアッベ数、
ν32Pは、第２正レンズのアッベ数、
である。
【００９６】
条件式（８）は、第１正レンズのアッベ数と第２正レンズのアッベ数との関係について規定した条件式である。条件式（８）を満足する場合、軸上色収差の補正と倍率色収差の補正との両立させた状態で、様々な光学系の設計条件を満たすことが容易になる。
【００９７】
値がプラス側に大きくなる場合、例えば、条件式（８）の上限値を上回る場合、軸上色収差が補正過剰の方向に変化し、倍率色収差が補正不足の方向に変化する。
【００９８】
条件式（８）に代えて、以下の条件式（８’）を満足すると良い。
−６５＜ν31P−ν32P＜１０      （８’）
また、条件式（８）に代えて、以下の条件式（８”）を満足するとなお良い。
−６０＜ν31P−ν32P＜５      （８”）
【００９９】
本実施形態の広角光学系では、第３レンズ群は、複数の正レンズを有し、複数の正レンズは、第１正レンズと、第２正レンズと、第３正レンズと、を有し、第１正レンズは、複数の正レンズのなかで、最も物体側に位置する正レンズであり、第２正レンズは、複数の正レンズのなかで、物体側から２番目に位置する正レンズであり、第３正レンズは、複数の正レンズのなかで、物体側から３番目に位置する正レンズであり、以下の条件式（９）を満足することが好ましい。
−４０＜ν33P−（ν31P＋ν32P）／２＜６０      （９）
ここで、
ν31Pは、第１正レンズのアッベ数、
ν32Pは、第２正レンズのアッベ数、
ν33Pは、第３正レンズのアッベ数、
である。
【０１００】
条件式（９）は、第１正レンズのアッベおよび第２正レンズのアッベ数の平均値と、第３正レンズのアッベとの関係について規定した条件式である。条件式（９）を満足する場合、軸上色収差の補正と倍率色収差の補正との両立させた状態で、様々な光学系の設計条件を満たすことが容易になる。
【０１０１】
値がマイナス側に大きくなる場合、例えば、条件式（９）の下限値を下回る場合、軸上色収差が補正過剰の方向に変化し、倍率色収差が補正不足の方向に変化する。
【０１０２】
条件式（９）に代えて、以下の条件式（９’）を満足すると良い。
−３０＜ν33P−（ν31P＋ν32P）／２＜４５      （９’）
また、条件式（９）に代えて、以下の条件式（９”）を満足するとなお良い。
−２５＜ν33P−（ν31P＋ν32P）／２＜４０      （９”）
【０１０３】
本実施形態の広角光学系では、第３レンズ群は、複数の負レンズを有し、複数の負レンズは、第１負レンズと、第２負レンズと、を有し、第１負レンズは、複数の負レンズのなかで、最も物体側に位置する負レンズであり、第２負レンズは、複数の負レンズのなかで、物体側から２番目に位置する負レンズであり、以下の条件式（１０）を満足することが好ましい。
−３０＜ν31N−ν32N＜４０      （１０）
ここで、
ν31Nは、第１負レンズのアッベ数、
ν32Nは、第２負レンズのアッベ数、
である。
【０１０４】
条件式（１０）は、第１負レンズのアッベ数と第２負レンズのアッベ数との関係について規定した条件式である。条件式（１０）を満足する場合、軸上色収差の補正と倍率色収差の補正との両立させた状態で、様々な光学系の設計条件を満たすことが容易になる。
【０１０５】
値がマイナス側に大きくなる場合、例えば、条件式（１０）の下限値を下回る場合、軸上色収差が補正過剰の方向に変化し、倍率色収差が補正不足の方向に変化する。
【０１０６】
条件式（１０）に代えて、以下の条件式（１０’）を満足すると良い。
−２０＜ν31N−ν32N＜３０      （１０’）
また、条件式（１０）に代えて、以下の条件式（１０”）を満足するとなお良い。
−１７＜ν31N−ν32N＜２５      （１０”）
【０１０７】
本実施形態の広角光学系では、第３レンズ群は焦点位置調節時には固定であることが好ましい。
【０１０８】
第３レンズ群では、収差変動に関して、製造誤差感度が高くなる傾向強い。製造誤差感度が高いと、製造誤差が小さくても、収差が大きく変動する。そのため、第３レンズ群は、焦点位置調節時には固定とするのが好ましい。
【０１０９】
本実施形態の広角光学系は、以下の条件式（１１）を満足することが好ましい。
−５０＜（R21F＋R21R）／（R21F−R21R）＜１０      （１１）
ここで、
R21Fは、所定のレンズ成分の物体側の面の曲率半径、
R21Rは、所定のレンズ成分の像側の面の曲率半径、
所定のレンズ成分は、第２レンズ群で最も物体側に位置するレンズ成分、
である。
【０１１０】
値が条件式（１１）の上限値を上回る場合、焦点位置調節時の球面収差の変動、あるいは非点収差の変動が大きくなり易い。値が条件式（１１）の下限値を下回る場合、偏心によるコマ収差の劣化と非点収差の劣化が起こり易い。上述のように、偏心は、第２レンズ群の移動によって発生する。
【０１１１】
条件式（１１）に代えて、以下の条件式（１１’）を満足すると良い。
−４０＜（R21F＋R21R）／（R21F−R21R）＜８      （１１’）
また、条件式（１１）に代えて、以下の条件式（１１”）を満足するとなお良い。
−３０＜（R21F＋R21R）／（R21F−R21R）＜６      （１１”）
【０１１２】
条件式（１１）を満足する光学系は、上限値よりも小さい値を有する。光学系における値が小さくなるほど、その光学系では、焦点位置調節時の球面収差あるいは非点収差をより良好に補正し易くなる。
【０１１３】
条件式（１１）については、好ましい上限値を設定することができる。上限値は、５．３３１０６、１．０、０．０、−１．０のいずれかにすることが好ましい。また、−３０．０から−２．０までが、条件式（１１）の最良の範囲と言える。
【０１１４】
本実施形態の広角光学系は、以下の条件式（１２）を満足することが好ましい。
０．２＜D21／ｆL＜３．０      （１２）
ここで、
D21は、第２レンズ群の最も物体側の面と最も像側の面との光軸上の距離、
ｆLは、第１の位置における広角光学系の焦点距離、
である。
【０１１５】
値が条件式（１２）の上限値を上回る場合、第２レンズ群の重量が増加するか、又は、光線高が高くなる。このように、第２レンズ群における重量の増加の抑制という点、又は、光線高の増加の抑制という点で不利になり易い。
【０１１６】
値が条件式（１２）の下限値を下回る場合、２つの制御の両立が困難になる。一方の制御は、焦点位置調節時の球面収差の変動の抑制、あるいは非点収差の変動の抑制である。他方の制御は、偏心によるコマ収差の劣化の抑制、あるいは非点収差の劣化の抑制である。偏心は、焦点位置調節時の移動群の移動によって発生する。
【０１１７】
条件式（１２）に代えて、以下の条件式（１２’）を満足すると良い。
０．２＜D21／ｆL＜２．５      （１２’）
また、条件式（１２）に代えて、以下の条件式（１２”）を満足するとなお良い。
０．４＜D21／ｆL＜２．０      （１２”）
【０１１８】
条件式（１２）を満足する光学系は、下限値よりも大きい値を有する。光学系における値が大きくなるほど、その光学系では、上述の２つの抑制の両立が行い易くなる。
【０１１９】
条件式（１２）については、好ましい下限値を設定することができる。下限値は、０．４１６２６、０．４２、０．４３、０．４４のいずれかにすることが好ましい。また、０．４５から２．０までが、条件式（１２）の最良の範囲と言える。
【０１２０】
本実施形態の広角光学系は、以下の条件式（１３）を満足することが好ましい。
１．０１＜β2F＜１．５０      （１３）
ここで、
β2Fは、第１の位置における第２レンズ群の倍率、
である。
【０１２１】
値が条件式（１３）の上限値を上回る場合、第２レンズ群の移動量に対するピント移動量（以下、「フォーカス感度」という）が高くなりすぎる。この場合、第２レンズ群を停止させるときの精度（以下、「停止精度」という）が高くなりすぎる。そのため、移動機構が複雑になる。
【０１２２】
値が条件式（１３）の下限値を下回る場合、フォーカス感度が低くなり易い。この場合、第２レンズ群の移動量が増えるので、移動のための空間を広くしなくてはならない。そのため、光学ユニットが大きくなる。
【０１２３】
条件式（１３）に代えて、以下の条件式（１３’）を満足すると良い。
１．００＜β2F＜１．４０      （１３’）
また、条件式（１３）に代えて、以下の条件式（１３”）を満足するとなお良い。
１．００＜β2F＜１．３０      （１３”）
【０１２４】
本実施形態の広角光学系は、以下の条件式（１４）を満足することが好ましい。
１．０１＜β2N／β2F＜１．３０      （１４）
ここで、
β2Fは、第１の位置における第２レンズ群の倍率、
β2Nは、第２の位置における第２レンズ群の倍率、
である。
【０１２５】
条件式（１４）を満足する場合、遠点における焦点距離が短くなるので、遠点において広い画角を確保することができる。また、近点における焦点距離が長くなるので、近点において高い倍率が得られる。
【０１２６】
遠点で広い画角を有し、近点で高い倍率を有する光学系は、内視鏡の光学系に適している。よって、本実施形態の広角光学系は、内視鏡の光学系として用いることができる。
【０１２７】
内視鏡では、例えば、広い範囲を観察して病変部の有無を確認する。そして、病変部が確認された場合、病変部を拡大して詳しく観察する。そのため、内視鏡の光学系は、遠点観察では広い画角を有し、近点観察では高い倍率を有していることが好ましい。
【０１２８】
また、近点観察では、病変部を詳細に観察する必要がある。よって、内視鏡の光学系では、高い精度で合焦できることが好ましい。
【０１２９】
値が条件式（１４）の上限値を上回る場合、近点側でのフォーカス感度が高くなる。この場合、近点側での停止精度が高くなる。そのため、高い精度で合焦することが困難になる。値が条件式（１４）の下限値を下回る場合、遠点観察における広い画角の確保と、近点観察における高い倍率の確保が困難になる。そのため、内視鏡の光学系には適さなくなる。
【０１３０】
条件式（１４）に代えて、以下の条件式（１４’）を満足すると良い。
１．００＜β2N／β2F＜１．２０      （１４’）
また、条件式（１４）に代えて、以下の条件式（１４”）を満足するとなお良い。
１．００＜β2N／β2F＜１．１０      （１４”）
【０１３１】
本実施形態の広角光学系は、以下の条件式（１５）を満足することが好ましい。
０．１０＜（１−β2F2）×β3F2＜０．５５      （１５）
ここで、
β2Fは、第１の位置における第２レンズ群の倍率、
β3Fは、第１の位置における第３レンズ群の倍率、
である。
【０１３２】
値が条件式（１５）の上限値を上回る場合、遠点側でのフォーカス感度が高くなりすぎる。この場合、遠点側での停止精度が高くなる。値が条件式（１５）の下限値を下回る場合、遠点側でのフォーカス感度が低くなり易い。この場合、第２レンズ群の移動量が増えるので、移動のための空間を広くしなくてはならない。そのため、光学ユニットが大きくなる。
【０１３３】
条件式（１５）に代えて、以下の条件式（１５’）を満足すると良い。
０．１０＜（１−β2F2）×β3F2＜０．４５      （１５’）
また、条件式（１５）に代えて、以下の条件式（１５”）を満足するとなお良い。
０．１０＜（１−β2F2）×β3F2＜０．３５      （１５”）
【０１３４】
本実施形態の広角光学系は、以下の条件式（１６）を満足することが好ましい。
０．２０＜（１−β2N2）×β3N2＜０．６５      （１６）
ここで、
β2Nは、第２の位置における第２レンズ群の倍率、
β3Nは、第２の位置における第３レンズ群の倍率、
である。
【０１３５】
値が条件式（１６）の上限値を上回る場合、近点側でのフォーカス感度が高くなりすぎる。この場合、近点側での停止精度が高くなる。値が条件式（１６）の下限値を下回る場合、近点側でのフォーカス感度が低くなり易い。この場合、第２レンズ群の移動量が増えるので、移動のための空間を広くしなくてはならない。
【０１３６】
条件式（１６）に代えて、以下の条件式（１６’）を満足すると良い。
０．２０＜（１−β2N2）×β3N＜０．５０      （１６’）
また、条件式（１６）に代えて、以下の条件式（１６”）を満足するとなお良い。
０．２２＜（１−β2N2）×β3N＜０．４２      （１６”）
【０１３７】
本実施形態の広角光学系では、第２レンズ群は、正レンズのみを有することが好ましい。
【０１３８】
このようにすることで、焦点位置調節時の非点収差の変動を小さくすることができる。
【０１３９】
本実施形態の広角光学系では、第１レンズ群は、複数の負の単レンズのみを有し、複数の負の単レンズのそれぞれが、第３レンズ群の最も物体側の正レンズよりも大きいアッベ数を有することが好ましい。
【０１４０】
第１レンズ群には、アクチュエーターを配置する必要はない。しかしながら、広い画角を確保するために、第１レンズ群の外径が大きくなり易い。第１レンズ群の外径を小さくするには、第１レンズ群の負の屈折力を大きくすれば良い。負の屈折力を大きくすると、軸外収差、特に、非点収差が発生し易い。
【０１４１】
第１レンズ群に複数の負レンズを配置することで、第１レンズ群の負の屈折力を、複数の負レンズに分担させることができる。その結果、第１レンズ群の負の屈折力を大きくしても、軸外収差、特に非点収差を良好に補正することができる。
【０１４２】
非常に広い画角を有する光学系において光線高を低くするには、入射面から入射瞳位置までの距離をできる限り短くすることが効果的である。そのために、第１レンズ群に、敢えて色収差を補正するレンズを配置しないことも、選択肢の１つとして考えられる。色収差を補正するレンズが第１レンズ群に配置されない場合、第１レンズ群は、単レンズのみを有する。
【０１４３】
この場合、第１レンズ群で、倍率色収差が発生しやすくなる。しかしながら、第１レンズ群で発生した倍率色収差は、第３レンズ群で補正することができる。このとき、第１レンズ群の負の単レンズのアッベ数を、第３レンズ群の最も物体側の正レンズのアッベ数よりも大きくする。
【０１４４】
第３レンズ群の最も物体側の正レンズは、第１レンズ群の負の単レンズに対して、最も近い距離に位置している。そのため、軸上色収差を悪化せずに、倍率色収差の補正が可能になる。第１レンズ群の負の単レンズのアッベ数が第３レンズ群の最も物体側の正レンズのアッベ数よりも小さい場合、軸上色収差の補正と倍率色収差の補正を同時に行うことは困難となる。
【０１４５】
本実施形態の広角光学系は、以下の条件式（１７）を満足することが好ましい。
０．２＜SD1／ｆL＜６．０      （１７）
ここで、
SD1は、第１レンズ群の最も物体側の面頂から第１レンズ群の最も像側の面頂までの距離、
ｆLは、第１の位置における広角光学系の焦点距離、
である。
【０１４６】
条件式（１７）を満足することで、第１レンズ群の外径、特に、最も物体側のレンズの外径を大きくさせずにバックフォーカスを確保することができ、且つ、画角が広くても、軸外収差、例えば、非点収差を良好に補正できる。
【０１４７】
値が条件式（１７）の上限値を上回る場合、最も物体側のレンズの外径が大きくなり易い。値が条件式（１７）の下限値を下回る場合、適切なバックフォーカスの確保が困難になるか、又は、軸外収差の補正が困難になる。
【０１４８】
条件式（１７）に代えて、以下の条件式（１７’）を満足すると良い。
０．２５＜SD1／ｆL＜５．０      （１７’） 
また、条件式（１７）に代えて、以下の条件式（１７”）を満足するとなお良い。
０．３０＜SD1／ｆL＜４．０      （１７”）
【０１４９】
本実施形態の広角光学系では、第１レンズ群は、第４レンズ成分と、第５レンズ成分と、を有し、第４レンズ成分は、第１レンズ群において、最も物体側に位置するレンズ成分であり、第５レンズ成分は、第１レンズ群において、物体側から２番目に位置するレンズ成分であり、第４レンズ成分は、負レンズ成分からなり、第５レンズ成分は、接合レンズからなり、以下の条件式（１８）を満足することが好ましい。
−１．０＜ｆL／R12Fa＜０．５      （１８）
ここで、
R12Faは、第５レンズ成分の物体側の面の曲率半径、
ｆLは、第１の位置における広角光学系の焦点距離、
である。
【０１５０】
本実施形態の広角光学系は広い画角を有するので、内視鏡の光学系に用いることができる。内視鏡の光学系では、視野角の確保、収差補正の制約、及び洗浄の制約から、最も物体側に位置する面は平面、あるいは物体側に凸の面となる。そのため、物体側から２番目の負レンズでは、物体側面を強い発散面にすることが好ましい。
【０１５１】
値が条件式（１８）の上限値を上回る場合、第１レンズ群での光線高が高くなり易い。値が条件式（１８）の下限値を下回る場合、非点収差が発生し易い。
【０１５２】
第５レンズ成分は、例えば、物体側から２番目に位置する負の単レンズ、又は、物体側から２番目に位置する負の接合レンズである。第５レンズ成分が接合レンズの場合、接合レンズは、正レンズと負レンズとで形成すれば良い。正レンズが物体側に位置していても、負レンズが物体側に位置していても良い。
【０１５３】
条件式（１８）に代えて、以下の条件式（１８’）を満足すると良い。
−０．７＜ｆL／R12Fa＜０．３      （１８’）
また、条件式（１８）に代えて、以下の条件式（１８”）を満足するとなお良い。
−０．４＜ｆL／R12Fa＜０．２      （１８”）
【０１５４】
本実施形態の広角光学系では、第１レンズ群は、第４レンズ成分と、第５レンズ成分と、第６レンズ成分と、を有し、第４レンズ成分は、第１レンズ群において、最も物体側に位置するレンズ成分であり、第５レンズ成分は、第１レンズ群において、物体側から２番目に位置するレンズ成分であり、第６レンズ成分は、第１レンズ群において、物体側から３番目に位置するレンズ成分であり、第４レンズ成分は、負レンズ成分からなり、第５レンズ成分は、第４レンズ成分よりも屈折力の絶対値が小さいレンズ成分からなり、第６レンズ成分は、接合レンズからなり、以下の条件式（１９）を満足することが好ましい。
−１．０＜ｆL／R12Fb＜０．５      （１９）
ここで、
R12Fbは、第６レンズ成分の物体側の面の曲率半径、
ｆLは、第１の位置における広角光学系の焦点距離、
である。
【０１５５】
上述のように、内視鏡の光学系では、最も物体側に位置する面は平面、あるいは物体側に凸の面となる。そのため、物体側から３番目の負レンズでは、物体側面を強い発散面にすることが好ましい。
【０１５６】
値が条件式（１９）の上限値を上回る場合、第１レンズ群での光線高が高くなり易い。値が条件式（１９）の下限値を下回る場合、非点収差が発生し易い。
【０１５７】
条件式（１９）に代えて、以下の条件式（１９’）を満足すると良い。
−０．７＜ｆL／R12Fb＜０．３      （１９’）
また、条件式（１９）に代えて、以下の条件式（１９”）を満足するとなお良い。
−０．４＜ｆL／R12Fb＜０．２      （１９”）
【０１５８】
本実施形態の広角光学系では、第１レンズ群は、第４レンズ成分と、第５レンズ成分と、第６レンズ成分と、を有し、第４レンズ成分は、第１レンズ群において、最も物体側に位置するレンズ成分であり、第５レンズ成分は、第１レンズ群において、物体側から２番目に位置するレンズ成分であり、第６レンズ成分は、第１レンズ群において、物体側から３番目に位置するレンズ成分であり、第４レンズ成分は、負レンズ成分からなり、第５レンズ成分は、負レンズ成分からなり、第６レンズ成分は、正レンズ成分からなり、以下の条件式（２０）を満足することが好ましい。
−１．０＜ｆL／R12Fc＜０．５      （２０）
ここで、
R12Fcは、第５レンズ成分の物体側の面の曲率半径、
ｆLは、第１の位置における広角光学系の焦点距離、
である。
【０１５９】
上述のように、内視鏡の光学系では、最も物体側に位置する面は平面、あるいは物体側に凸の面となる。そのため、物体側から２番目の負レンズでは、物体側面を強い発散面にすることが好ましい。
【０１６０】
値が条件式（２０）の上限値を上回る場合、第１レンズ群での光線高が高くなり易い。値が条件式（２０）の下限値を下回る場合、非点収差が発生し易い。
【０１６１】
条件式（２０）に代えて、以下の条件式（２０’）を満足すると良い。
−０．７＜ｆL／R12Fc＜０．３      （２０’）
また、条件式（２０）に代えて、以下の条件式（２０”）を満足するとなお良い。
−０．４＜ｆL／R12Fc＜０．２      （２０”）
【０１６２】
本実施形態の広角光学系では、第１レンズ群は、負レンズ成分と、正レンズ成分と、を有し、以下の条件式（２１）を満足することが好ましい。
−０．４＜ｆL／R12R＜０．０２      （２１）
ここで、
R12Rは、正レンズ成分の像側の面の曲率半径、
ｆLは、第１の位置における広角光学系の焦点距離、
である。
【０１６３】
第１レンズ群に負レンズ成分と正レンズ成分を用いることは、外径を小さくする点で、若干不利ではある。しかしながら、第１レンズ群に負レンズ成分と正レンズ成分を用いることで、非点収差の補正と倍率色収差の補正が行い易くなる。
【０１６４】
値が条件式（２１）の上限値を上回る場合、非点収差を補正する効果が小さくなる。値が条件式（２１）の下限値を下回る場合、歪曲収差が大きくなる。
【０１６５】
条件式（２１）に代えて、以下の条件式（２１’）を満足すると良い。
−０．３＜ｆL／R12R＜０．０      （２１’）
また、条件式（２１）に代えて、以下の条件式（２１”）を満足するとなお良い。
−０．２＜ｆL／R12R＜−０．０２      （２１”）
【０１６６】
本実施形態の広角光学系では、第１レンズ群は、第４レンズ成分と、第５レンズ成分と、を有し、第４レンズ成分は、第１レンズ群において、最も物体側に位置するレンズ成分であり、第５レンズ成分は、第１レンズ群において、物体側から２番目に位置するレンズ成分であり、以下の条件式（２２）を満足することが好ましい。
−１．０＜ｆL／ｆL12＜０．４      （２２）
ここで、
ｆL12は、第５レンズ成分の焦点距離、
ｆLは、第１の位置における広角光学系の焦点距離、
である。
【０１６７】
値が条件式（２２）の上限値を上回る場合、第４レンズ成分を小型化する効果があまり得られない。値が条件式（２２）の下限値を下回る場合、軸外収差を補正する効果があまり得られない。
【０１６８】
条件式（２２）に代えて、以下の条件式（２２’）を満足すると良い。
−０．７＜ｆL／ｆL12＜０．２      （２２’）
また、条件式（２２）に代えて、以下の条件式（２２”）を満足するとなお良い。
−０．５＜ｆL／ｆL12＜０．０５      （２２”）
【０１６９】
本実施形態の広角光学系は、以下の条件式（２３）を満足することが好ましい。
１００×｜ｆfin｜＜｜Ｒfin｜      （２３）
ここで、
ｆfinは、像側レンズ成分の焦点距離、
Ｒfinは、像側レンズ成分の像側の面の曲率半径、
像側レンズ成分は、複数のレンズ成分のなかで、最も像側に位置するレンズ成分、
である。
【０１７０】
光学系では、像側レンズ成分と像面との間に、屈折力がゼロの光学素子が配置されることが多い。屈折力がゼロの光学素子は、例えば、光学フィルタ、又は、プリズムである。条件式（２３）を満足すると、屈折力がゼロの光学素子を配置するスペースの確保と、非点収差の良好な補正との両立がし易くなる。
【０１７１】
条件式（５）と条件式（６）では、最も像側に位置するレンズ成分について、面の曲率半径を規定している。条件式（２３）では、像側レンズ成分について、面の曲率半径を規定している。像側レンズ成分は、最も像側に位置するレンズ成分である。よって、条件式（２３）は、実質的に、条件式（５）と条件式（６）を限定した条件式ということができる。
【０１７２】
本実施形態の広角光学系は、像側レンズ成分と、屈折力がゼロの光学素子と、を有し、像側レンズ成分は、複数のレンズ成分のなかで、最も像側に位置し、光学素子は、像側レンズ成分の像側に位置し、像側レンズ成分と光学素子は接合されていることが好ましい。
【０１７３】
光学系では、像側レンズ成分と像面との間に、屈折力がゼロの光学素子が配置されることが多い。屈折力がゼロの光学素子は、例えば、光学フィルタ、又は、プリズムである。像側レンズ成分と光学素子を接合することで、偏心による結像性能の劣化を防止することができる。
【０１７４】
本実施形態の広角光学系は、以下の条件式（２４）を満足することが好ましい。
２ｙmax＜ｆL×ｔａｎωmax      （２４）
ここで、
ｙmaxは、最大像高、
ωmaxは、最大像高に対応した画角、
ｆLは、第１の位置における広角光学系の焦点距離、
である。
【０１７５】
本実施形態の広角光学系は、高い分解能を有すると共に、焦点位置調節に必要なアクチュエーターを配置して外径が小さな光学系である。よって、本実施形態の広角光学系は、内視鏡の光学系に用いることができる。
【０１７６】
本実施形態の広角光学系を内視鏡の光学系に用いるためには、例えば、１００度以上の画角が確保されることが好ましい。１００度以上の画角を有する光学系では、歪曲収差の発生が許容されている。よって、このような光学系は、以下の式（Ａ）を満足していない。式（Ａ）歪曲収差のない条件である。
ｙmax＝ｆL×ｔａｎωmax      （Ａ）
【０１７７】
その代わりに、本実施形態の広角光学系は、条件式（２４）を満足している。条件式（２４）を満足することで、広い画角を確保しつつ、光学ユニットの外径を小さくすることができる。よって、本実施形態の広角光学系を、内視鏡の光学系に用いることができる。
【０１７８】
本実施形態の広角光学系は、以下の条件式（２５）を満足することが好ましい。
ＥＲ2＜４×ｆL／ＦEX      （２５）
ここで、
ＥＲ2は、第２レンズ成分の最も像側の面の有効半径、
ＦEXは、第１の位置における有効Ｆ値、
ｆLは、第１の位置における広角光学系の焦点距離、
である。
【０１７９】
条件式（２５）は、光線高に関する条件式である。条件式（２５）を満足することで、本実施形態の広角光学系を内視鏡の光学系に用いることができる。有効半径は、面における最外光線高で決まる。
【０１８０】
本実施形態の撮像装置は、光学系と、像面に配置された撮像素子と、を有し、撮像素子は撮像面を有し、且つ光学系によって撮像面上に形成された像を電気信号に変換し、光学系が上述の広角光学系であることを特徴する。
【０１８１】
実施形態の撮像装置によれば、画素数が多い撮像素子を使用しても、その画素数に応じた鮮明な画像を取得することができる。
【０１８２】
以下に、広角光学系の実施例を、図面に基づいて詳細に説明する。なお、この実施例によりこの発明が限定されるものではない。
【０１８３】
各実施例のレンズ断面図について説明する。（ａ）は遠点における断面図、（ｂ）は近点における断面図である。
【０１８４】
第１レンズ群はＧ１、第２レンズ群はＧ２、第３レンズ群はＧ３、明るさ絞りはＳ、フィルタはＦ、カバーガラスはＣ、Ｃ１、Ｃ２、プリズムはＰ、像面（撮像面）はＩで示してある。
【０１８５】
各実施例の収差図について説明する。収差図は、遠点における収差図、近点における収差図の順に示している。遠点における収差図では、（ａ）は球面収差（ＳＡ）、（ｂ）は非点収差（ＡＳ）、（ｃ）は倍率色収差（ＣＣ）、（ｄ）は歪曲収差（ＤＴ）を示している。近点における収差図では、（ｅ）は球面収差（ＳＡ）、（ｆ）は非点収差（ＡＳ）、（ｇ）は倍率色収差（ＣＣ）、（ｈ）は歪曲収差（ＤＴ）を示している。
【０１８６】
実施例１の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０１８７】
第１レンズ群Ｇ１は、平凹負レンズＬ１と、両凹負レンズＬ２と、物体側に凸面を向けた正メニスカスレンズＬ３と、を有する。
【０１８８】
第２レンズ群Ｇ２は、物体側に凸面を向けた正メニスカスレンズＬ４を有する。
【０１８９】
第３レンズ群Ｇ３は、物体側に凸面を向けた正メニスカスレンズＬ５と、物体側に凸面を向けた負メニスカスレンズＬ６と、両凸正レンズＬ７と、像側に凸面を向けた正メニスカスレンズＬ８と、両凹負レンズＬ９と、像側に凸面を向けた正メニスカスレンズＬ１０と、両凸正レンズＬ１１と、を有する。
【０１９０】
負メニスカスレンズＬ６と両凸正レンズＬ７とが接合されている。正メニスカスレンズＬ８と両凹負レンズＬ９とが接合されている。
【０１９１】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０１９２】
焦点位置の調節では、第２レンズ群Ｇ２が移動する。遠点から近点への調節時、第２レンズ群Ｇ２は像側に移動する。
【０１９３】
実施例２の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０１９４】
第１レンズ群Ｇ１は、物体側に凸面を向けた負メニスカスレンズＬ１と、両凹負レンズＬ２と、物体側に凸面を向けた正メニスカスレンズＬ３と、を有する。
【０１９５】
第２レンズ群Ｇ２は、物体側に凸面を向けた正メニスカスレンズＬ４を有する。
【０１９６】
第３レンズ群Ｇ３は、物体側に凸面を向けた正メニスカスレンズＬ５と、物体側に凸面を向けた負メニスカスレンズＬ６と、両凸正レンズＬ７と、像側に凸面を向けた正メニスカスレンズＬ８と、両凹負レンズＬ９と、両凸正レンズＬ１０と、両凸正レンズＬ１１と、を有する。
【０１９７】
負メニスカスレンズＬ６と両凸正レンズＬ７とが接合されている。正メニスカスレンズＬ８と両凹負レンズＬ９とが接合されている。
【０１９８】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０１９９】
焦点位置の調節では、第２レンズ群Ｇ２が移動する。遠点から近点への調節時、第２レンズ群Ｇ２は像側に移動する。
【０２００】
実施例３の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２０１】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２０２】
第２レンズ群Ｇ２は、物体側に凸面を向けた正メニスカスレンズＬ４を有する。
【０２０３】
第３レンズ群Ｇ３は、物体側に凸面を向けた正メニスカスレンズＬ５と、物体側に凸面を向けた正メニスカスレンズＬ６と、両凸正レンズＬ７と、像側に凸面を向けた正メニスカスレンズＬ８と、両凹負レンズＬ９と、像側に凸面を向けた正メニスカスレンズＬ１０と、両凸正レンズＬ１１と、を有する。
【０２０４】
正メニスカスレンズＬ６と両凸正レンズＬ７とが接合されている。正メニスカスレンズＬ８と両凹負レンズＬ９とが接合されている。
【０２０５】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２０６】
焦点位置の調節では、第２レンズ群Ｇ２が移動する。遠点から近点への調節時、第２レンズ群Ｇ２は像側に移動する。
【０２０７】
実施例４の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２０８】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２０９】
第２レンズ群Ｇ２は、物体側に凸面を向けた正メニスカスレンズＬ４を有する。
【０２１０】
第３レンズ群Ｇ３は、物体側に凸面を向けた正メニスカスレンズＬ５と、両凹負レンズＬ６と、両凸正レンズＬ７と、像側に凸面を向けた正メニスカスレンズＬ８と、両凹負レンズＬ９と、両凸正レンズＬ１０と、物体側に凸面を向けた正メニスカスレンズＬ１１と、を有する。
【０２１１】
両凹負レンズＬ６と両凸正レンズＬ７とが接合されている。正メニスカスレンズＬ８と両凹負レンズＬ９とが接合されている。
【０２１２】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２１３】
焦点位置の調節では、第２レンズ群Ｇ２が移動する。遠点から近点への調節時、第２レンズ群Ｇ２は像側に移動する。
【０２１４】
実施例５の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２１５】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２１６】
第２レンズ群Ｇ２は、物体側に凸面を向けた正メニスカスレンズＬ４を有する。
【０２１７】
第３レンズ群Ｇ３は、物体側に凸面を向けた正メニスカスレンズＬ５と、物体側に凸面を向けた負メニスカスレンズＬ６と、両凸正レンズＬ７と、両凸正レンズＬ８と、両凹負レンズＬ９と、両凸正レンズＬ１０と、物体側に凸面を向けた正メニスカスレンズＬ１１と、を有する。
【０２１８】
負メニスカスレンズＬ６と両凸正レンズＬ７とが接合されている。両凸正レンズＬ８と両凹負レンズＬ９とが接合されている。
【０２１９】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２２０】
焦点位置の調節では、第２レンズ群Ｇ２が移動する。遠点から近点への調節時、第２レンズ群Ｇ２は像側に移動する。
【０２２１】
実施例６の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２２２】
第１レンズ群Ｇ１は、平凹負レンズＬ１と、両凹負レンズＬ２と、像側に凸面を向けた正メニスカスレンズＬ３と、を有する。
【０２２３】
第２レンズ群Ｇ２は、物体側に凸面を向けた正メニスカスレンズＬ４を有する。
【０２２４】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、両凸正レンズＬ１０と、両凸正レンズＬ１１と、平凸正レンズＬ１２と、を有する。
【０２２５】
両凸正レンズＬ６と負メニスカスレンズＬ７とが接合されている。両凸正レンズＬ８と両凹負レンズＬ９とが接合されている。
【０２２６】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０２２７】
焦点位置の調節では、第２レンズ群Ｇ２が移動する。遠点から近点への調節時、第２レンズ群Ｇ２は像側に移動する。
【０２２８】
実施例７の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２２９】
第１レンズ群Ｇ１は、平凹負レンズＬ１と、両凹負レンズＬ２と、像側に凸面を向けた負メニスカスレンズＬ３と、を有する。
【０２３０】
第２レンズ群Ｇ２は、物体側に凸面を向けた正メニスカスレンズＬ４を有する。
【０２３１】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、両凸正レンズＬ１０と、両凸正レンズＬ１１と、平凸正レンズＬ１２と、を有する。
【０２３２】
両凸正レンズＬ６と負メニスカスレンズＬ７とが接合されている。両凸正レンズＬ８と両凹負レンズＬ９とが接合されている。
【０２３３】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０２３４】
焦点位置の調節では、第２レンズ群Ｇ２が移動する。遠点から近点への調節時、第２レンズ群Ｇ２は像側に移動する。
【０２３５】
実施例８の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２３６】
第１レンズ群Ｇ１は、平凹負レンズＬ１と、両凹負レンズＬ２と、両凸正レンズＬ３と、を有する。両凹負レンズＬ２と両凸正レンズＬ３とが接合されている。
【０２３７】
第２レンズ群Ｇ２は、物体側に凸面を向けた正メニスカスレンズＬ４を有する。
【０２３８】
第３レンズ群Ｇ３は、両凸正レンズＬ５と、両凹負レンズＬ６と、両凸正レンズＬ７と、像側に凸面を向けた正メニスカスレンズＬ８と、像側に凸面を向けた負メニスカスレンズＬ９と、両凸正レンズＬ１０と、を有する。
【０２３９】
両凹負レンズＬ６と両凸正レンズＬ７とが接合されている。正メニスカスレンズＬ８と負メニスカスレンズＬ９とが接合されている。
【０２４０】
第１レンズ群Ｇ１中に、フィルタＦが配置されている。第３レンズ群Ｇ３中に、明るさ絞りＳが配置されている。第３レンズ群Ｇ３の像側に、カバーガラスＣ１と、プリズムＰと、カバーガラスＣ２と、が配置されている。
【０２４１】
焦点位置の調節では、第２レンズ群Ｇ２が移動する。遠点から近点への調節時、第２レンズ群Ｇ２は像側に移動する。
【０２４２】
実施例９の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２４３】
第１レンズ群Ｇ１は、平凹負レンズＬ１を有する。
【０２４４】
第２レンズ群Ｇ２は、像側に凸面を向けた正メニスカスレンズＬ２を有する。
【０２４５】
第３レンズ群Ｇ３は、両凸正レンズＬ３と、両凹負レンズＬ４と、両凸正レンズＬ５と、像側に凸面を向けた正メニスカスレンズＬ６と、像側に凸面を向けた負メニスカスレンズＬ７と、両凸正レンズＬ８と、を有する。
【０２４６】
両凹負レンズＬ４と両凸正レンズＬ５とが接合されている。正メニスカスレンズＬ６と負メニスカスレンズＬ７とが接合されている。
【０２４７】
第１レンズ群Ｇ１と第２レンズ群Ｇ２の間に、フィルタＦが配置されている。第３レンズ群Ｇ３中に、明るさ絞りＳが配置されている。第３レンズ群Ｇ３の像側に、カバーガラスＣ１と、プリズムＰと、カバーガラスＣ２と、が配置されている。
【０２４８】
焦点位置の調節では、第２レンズ群Ｇ２が移動する。遠点から近点への調節時、第２レンズ群Ｇ２は像側に移動する。
【０２４９】
実施例１０の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２５０】
第１レンズ群Ｇ１は、平凹負レンズＬ１と、物体側に凸面を向けた負メニスカスレンズＬ２と、を有する。
【０２５１】
第２レンズ群Ｇ２は、物体側に凸面を向けた正メニスカスレンズＬ３を有する。
【０２５２】
第３レンズ群Ｇ３は、両凸正レンズＬ４と、両凹負レンズＬ５と、両凸正レンズＬ６と、像側に凸面を向けた正メニスカスレンズＬ７と、像側に凸面を向けた負メニスカスレンズＬ８と、両凸正レンズＬ９と、を有する。
【０２５３】
両凹負レンズＬ５と両凸正レンズＬ６とが接合されている。正メニスカスレンズＬ７と負メニスカスレンズＬ８とが接合されている。
【０２５４】
第１レンズ群Ｇ１と第２レンズ群Ｇ２の間に、フィルタＦが配置されている。第３レンズ群Ｇ３中に、明るさ絞りＳが配置されている。第３レンズ群Ｇ３の像側に、カバーガラスＣ１と、プリズムＰと、カバーガラスＣ２と、が配置されている。
【０２５５】
焦点位置の調節では、第２レンズ群Ｇ２が移動する。遠点から近点への調節時、第２レンズ群Ｇ２は像側に移動する。フィルタＦは、第２レンズ群Ｇ２と一緒に移動する。
【０２５６】
実施例１１の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２５７】
第１レンズ群Ｇ１は、平凹負レンズＬ１と、両凹負レンズＬ２と、物体側に凸面を向けた正メニスカスレンズＬ３と、を有する。両凹負レンズＬ２と正メニスカスレンズＬ３とが接合されている。
【０２５８】
第２レンズ群Ｇ２は、物体側に凸面を向けた正メニスカスレンズＬ４を有する。
【０２５９】
第３レンズ群Ｇ３は、物体側に凸面を向けた正メニスカスレンズＬ５と、物体側に凸面を向けた負メニスカスレンズＬ６と、両凸正レンズＬ７と、物体側に凸面を向けた負メニスカスレンズＬ８と、両凸正レンズＬ９と、平凸正レンズＬ１０と、を有する。
【０２６０】
負メニスカスレンズＬ６と両凸正レンズＬ７とが接合されている。負メニスカスレンズＬ８と両凸正レンズＬ９とが接合されている。
【０２６１】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１０とカバーガラスＣとが接合されている。
【０２６２】
焦点位置の調節では、第２レンズ群Ｇ２が移動する。遠点から近点への調節時、第２レンズ群Ｇ２は像側に移動する。
【０２６３】
実施例１２の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２６４】
第１レンズ群Ｇ１は、平凹負レンズＬ１と、両凹負レンズＬ２と、両凸正レンズＬ３と、を有する。両凹負レンズＬ２と両凸正レンズＬ３とが接合されている。
【０２６５】
第２レンズ群Ｇ２は、物体側に凸面を向けた正メニスカスレンズＬ４を有する。
【０２６６】
第３レンズ群Ｇ３は、両凸正レンズＬ５と、両凸正レンズＬ６と、像側に凸面を向けた負メニスカスレンズＬ７と、平凸正レンズＬ８と、を有する。両凸正レンズＬ６と負メニスカスレンズＬ７とが接合されている。
【０２６７】
第２レンズ群Ｇ２と第３レンズ群Ｇ３との間に、明るさ絞りＳが配置されている。第３レンズ群Ｇ３中に、フィルタＦが配置されている。第３レンズ群Ｇ３の像側に、カバーガラスＣが配置されている。平凸正レンズＬ８とカバーガラスＣとが接合されている。
【０２６８】
焦点位置の調節では、第２レンズ群Ｇ２が移動する。遠点から近点への調節時、第２レンズ群Ｇ２は像側に移動する。
【０２６９】
実施例１３の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２７０】
第１レンズ群Ｇ１は、平凹負レンズＬ１と、像側に凸面を向けた正メニスカスレンズＬ２と、を有する。
【０２７１】
第２レンズ群Ｇ２は、両凸正レンズＬ３を有する。
【０２７２】
第３レンズ群Ｇ３は、物体側に凸面を向けた正メニスカスレンズＬ４と、物体側に凸面を向けた負メニスカスレンズＬ５と、両凸正レンズＬ６と、両凸正レンズＬ７と、像側に凸面を向けた負メニスカスレンズＬ８と、平凸正レンズＬ９と、を有する。
【０２７３】
負メニスカスレンズＬ５と両凸正レンズＬ６とが接合されている。両凸正レンズＬ７と負メニスカスレンズＬ８とが接合されている
【０２７４】
第３レンズ群Ｇ３中に、明るさ絞りＳと、フィルタＦと、が配置されている。第３レンズ群Ｇ３の像側に、カバーガラスＣが配置されている。平凸正レンズＬ９とカバーガラスＣとが接合されている。
【０２７５】
焦点位置の調節では、第２レンズ群Ｇ２が移動する。遠点から近点への調節時、第２レンズ群Ｇ２は像側に移動する。
【０２７６】
実施例１４の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２７７】
第１レンズ群Ｇ１は、平凹負レンズＬ１と、両凹負レンズＬ２と、両凸正レンズＬ３と、を有する。両凹負レンズＬ２と両凸正レンズＬ３とが接合されている。
【０２７８】
第２レンズ群Ｇ２は、物体側に凸面を向けた正メニスカスレンズＬ４を有する。
【０２７９】
第３レンズ群Ｇ３は、平凸正レンズＬ５と、物体側に凸面を向けた負メニスカスレンズＬ６と、平凸正レンズＬ７と、両凸正レンズＬ８と、像側に凸面を向けた負メニスカスレンズＬ９と、平凸正レンズＬ１０と、を有する。
【０２８０】
負メニスカスレンズＬ６と平凸正レンズＬ７とが接合されている。両凸正レンズＬ８と負メニスカスレンズＬ９とが接合されている。
【０２８１】
第３レンズ群Ｇ３中に、明るさ絞りＳと、フィルタＦと、が配置されている。第３レンズ群Ｇ３の像側に、カバーガラスＣが配置されている。平凸正レンズＬ１０とカバーガラスＣとが接合されている。
【０２８２】
焦点位置の調節では、第２レンズ群Ｇ２が移動する。遠点から近点への調節時、第２レンズ群Ｇ２は像側に移動する。
【０２８３】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。絞りは明るさ絞りである。
【０２８４】
また、各種データにおいて、ＯＢＪは物体距離、ＦＬは全系の焦点距離、ＭＧは全系の倍率、ＦＮＯはＦナンバー、ＦＩＹとＦＩＭは像高、ＬＴＬは光学系の全長、ＦＢはバックフォーカスである。バックフォーカスは、最も像側のレンズ面から近軸像面までの距離を空気換算して表したものである。全長は、最も物体側のレンズ面から最も像側のレンズ面までの距離にバックフォーカスを加えたものである。また、β１は第１レンズ群の倍率、β２は第２レンズ群の倍率、β３は第３レンズ群の倍率である。
【０２８５】
また、各焦点距離において、ｆ１、ｆ２…は各レンズ群の焦点距離である。
【０２８６】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「Ｅ−ｎ」（ｎは整数）は、１０のｎ乗を示している。なお、これら諸元値の記号は後述の実施例の数値データにおいても共通である。
【０２８７】
数値実施例１
単位    ｍｍ
面データ
面番号       r            d            nd        νd       ER
物面         ∞        21.0000        1.
1         ∞         0.3700        1.88300    40.76    1.881
2        1.8089      0.6000        1.                  1.306
3         ∞         0.4000        1.51633    64.14    1.293
4         ∞         0.1633        1.                  1.209
5       -7.7140      0.2984        1.88300    40.76    1.185
6        3.9041      0.0965        1.                  1.135
7        2.4546      0.8446        1.92286    18.90    1.157
8        3.1566      d8            1.                  1.013
9        2.2403      1.5268        1.49700    81.54    0.981
10        3.3915      d10           1.                  0.697
11(絞り)   ∞         0.0783        1.                  0.460
12*       4.0614      0.3192        1.88300    40.76    0.485
13*      11.1597      0.0830        1.                  0.526
14        2.0140      0.3000        1.88300    40.76    0.578
15        1.5060      0.8356        1.51742    52.43    0.586
16       -1.5170      0.0934        1.                  0.663
17      -10.3264      1.2276        1.51633    64.14    0.654
18       -1.3625      0.2968        1.84666    23.78    0.649
19        1.8989      0.2849        1.                  0.704
20      -48.9192      0.5397        1.72916    54.68    0.805
21       -2.6727      0.0956        1.                  0.941
22        3.6698      0.5463        1.88300    40.76    1.093
23      -86.8018      0.3500        1.                  1.101
24         ∞         1.4000        1.51633    64.14    1.111
25         ∞         0.0757        1.                  1.137
像面         ∞         0.
非球面データ
第１２面
K=0.
A2=0.0000E+00,A4=2.2626E-02,A6=-1.5521E-01,A8=7.9970E-01,
A10=-1.6090E+00,A12=-1.8424E-01,A14=1.3225E+00,
A16=0.0000E+00,A18=0.0000E+00,A20=0.0000E+00
第１３面
K=0.
A2=0.0000E+00,A4=5.9775E-02,A6=-3.6261E-02,A8=2.2828E-01,
A10=-3.7908E-01,A12=7.3652E-02,A14=-4.9792E-01,
A16=0.0000E+00,A18=0.0000E+00,A20=0.0000E+00
各種データ
遠点          近点
OBJ     21.0000        2.9000 
FL       0.95940       0.97543 
MG      -0.042789     -0.227651 
FNO      3.9659        3.8809 
FIY      1.140         1.140 
LTL     12.4974       12.4974 
FB       0.03465      -0.14635
d8       0.37036       1.16143
d10      1.30128       0.51021
β1      0.04739       0.23415
β2      1.11562       1.20142
β3     -0.80926      -0.80926
各群焦点距離
f1=-1.07556,    f2=9.21973,    f3=2.80485
【０２８８】
数値実施例２
単位    ｍｍ
面データ
面番号       r            d            nd        νd       ER
物面         ∞        17.0000        1.
1       20.0000      0.3700        1.88300    40.76    1.562
2        1.2067      0.6000        1.                  0.977
3         ∞         0.4000        1.51633    64.14    0.943
4         ∞         0.1010        1.                  0.858
5       -5.0015      0.2886        1.88300    40.76    0.848
6        2.9519      0.0923        1.                  0.809
7        1.8550      0.3815        1.92286    18.90    0.826
8        2.6141      d8            1.                  0.770
9        1.6760      0.5923        1.49700    81.54    0.741
10        2.0720      d10           1.                  0.633
11(絞り)   ∞         0.0830        1.                  0.467
12*       2.2198      0.3481        1.88300    40.76    0.540
13*       5.1027      0.0877        1.                  0.557
14        1.2752      0.3000        1.88300    40.76    0.619
15        0.8381      1.2698        1.51633    64.14    0.576
16       -2.6992      0.0857        1.                  0.654
17      -12.8077      0.7528        1.51633    64.14    0.653
18       -1.3481      0.2875        1.84666    23.78    0.661
19        1.9079      0.2786        1.                  0.727
20     1813.5266      0.5922        1.72916    54.68    0.840
21       -2.5422      0.0839        1.                  0.995
22        3.2963      0.6109        1.88300    40.76    1.188
23      -74.5199      0.3000        1.                  1.186
24         ∞         1.4000        1.51633    64.14    1.178
25         ∞         0.0758        1.                  1.155
像面         ∞         0.
非球面データ
第１２面
K=0.
A2=0.0000E+00,A4=9.4238E-02,A6=-1.3465E-01,A8=6.9001E-01,
A10=-1.1061E+00
第１３面
K=0.
A2=0.0000E+00,A4=1.2940E-01,A6=-2.9245E-02,A8=3.1386E-01,
A10=-5.4631E-01
各種データ
遠点          近点
OBJ     17.0000        3.0000 
FL       0.90631       0.91421 
MG      -0.050070     -0.223755 
FNO      3.9341        3.8945 
FIY      1.140         1.140 
LTL     10.8752       10.8752 
FB       0.03039      -0.12879
d8       0.34193       0.98043
d10      1.15150       0.51300
β1      0.04307       0.18324
β2      1.07292       1.12708
β3     -1.08345      -1.08345
各群焦点距離
f1=-0.78833,    f2=11.79037,    f3=2.97621
【０２８９】
数値実施例３
単位    ｍｍ
面データ
面番号       r            d            nd        νd       ER
物面         ∞        17.0000        1.
1       20.0000      0.3700        1.88300    40.76    1.565
2        1.1942      0.6000        1.                  0.975
3         ∞         0.3600        1.51633    64.14    0.945
4         ∞         0.0180        1.                  0.872
5      -39.2627      0.2712        1.88300    40.76    0.869
6        2.1856      0.0689        1.                  0.804
7        1.5180      0.3499        1.92286    18.90    0.813
8        1.8920      d8            1.                  0.744
9        1.3113      0.3642        1.49700    81.54    0.700
10        1.5503      d10           1.                  0.619
11(絞り)   ∞         0.0540        1.                  0.428
12*       2.4371      0.2640        1.88300    40.76    0.451
13*       2.7511      0.0751        1.                  0.472
14        1.6332      0.3000        1.88300    40.76    0.530
15        1.8390      0.8427        1.51633    64.14    0.553
16       -1.2298      0.0861        1.                  0.653
17       -4.6698      1.3113        1.51633    64.14    0.643
18       -1.3468      0.2905        1.84666    23.78    0.663
19        1.9205      0.2998        1.                  0.732
20      -19.8757      0.6269        1.72916    54.68    0.848
21       -2.1528      0.0818        1.                  1.016
22        3.4557      0.6199        1.88300    40.76    1.217
23      -28.5947      0.2000        1.                  1.213
24         ∞         1.5000        1.51633    64.14    1.201
25         ∞         0.0640        1.                  1.148
像面         ∞         0.
非球面データ
第１２面
K=0.
A2=0.0000E+00,A4=2.3881E-01,A6=7.1261E-02,A8=-4.0179E-01,
A10=0.0000E+00
第１３面
K=0.
A2=0.0000E+00,A4=3.5728E-01,A6=1.7739E-01,A8=-2.8920E-01,
A10=0.0000E+00
各種データ
遠点          近点
OBJ     17.0000        3.0000 
FL       0.87488       0.88419 
MG      -0.048244     -0.214621 
FNO      3.9284        3.8945 
FIY      1.140         1.140 
LTL     10.5175       10.5175 
FB       0.02181      -0.12575
d8       0.32999       0.94108
d10      1.16920       0.55811
β1      0.04475       0.18971
β2      1.08766       1.14143
β3     -0.99113      -0.99113
各群焦点距離
f1=-0.81998,    f2=11.36494,    f3=3.10154
【０２９０】
数値実施例４
単位    ｍｍ
面データ
面番号       r            d            nd        νd       ER
物面         ∞        17.0000        1.
1       20.0000      0.3700        1.88300    40.76    2.170
2        1.8355      0.6000        1.                  1.438
3         ∞         0.4000        1.51633    64.14    1.482
4         ∞         0.3651        1.                  1.367
5       -6.0073      0.7484        1.88300    40.76    1.260
6        3.8110      0.5388        1.                  1.141
7        2.9102      0.4410        1.92286    18.90    1.179
8        4.0476      d8            1.                  1.118
9        2.4287      1.7001        1.49700    81.54    1.088
10        3.4681      d10           1.                  0.763
11(絞り)   ∞         0.0944        1.                  0.501
12*       1.7041      0.3825        1.88300    40.76    0.600
13*       5.1778      0.2781        1.                  0.590
14      -29.8880      0.3000        1.88300    40.76    0.629
15        2.9929      0.6826        1.51633    64.14    0.668
16       -1.6314      0.1268        1.                  0.749
17       -8.7698      1.5571        1.51633    64.14    0.757
18       -1.4188      0.3403        1.84666    23.78    0.820
19        4.3711      0.6288        1.                  0.933
20      264.1515      0.7659        1.72916    54.68    1.240
21       -2.7702      0.1844        1.                  1.362
22        2.3631      0.6206        1.88300    40.76    1.495
23        3.9331      0.4000        1.                  1.392
24         ∞         1.4000        1.51633    64.14    1.358
25         ∞         0.0411        1.                  1.147
像面         ∞         0.
非球面データ
第１２面
K=0.
A2=0.0000E+00,A4=5.2580E-02,A6=5.3691E-02,A8=-3.8939E-03,
A10=0.0000E+00
第１３面
K=0.
A2=0.0000E+00,A4=1.2458E-01,A6=7.6091E-02,A8=4.8603E-02,
A10=0.0000E+00
各種データ
遠点          近点
OBJ     17.0000        3.0000 
FL       0.96374       0.99290 
MG      -0.051712     -0.215244 
FNO      3.8797        3.8945 
FIY      1.140         1.140 
LTL     14.5440       14.5440 
FB      -0.00878      -0.17266
d8       0.28712       1.03089
d10      1.29110       0.54733
β1      0.06071       0.23796
β2      1.13728       1.20767
β3     -0.74900      -0.74900
各群焦点距離
f1=-1.14099,    f2=10.56718,    f3=4.20765
【０２９１】
数値実施例５
単位    ｍｍ
面データ
面番号       r            d            nd        νd       ER
物面         ∞        17.0000        1.
1       18.6062      0.3700        1.88300    40.76    1.550
2        1.1634      0.6000        1.                  0.954
3         ∞         0.4000        1.51633    64.14    0.921
4         ∞         0.2106        1.                  0.839
5       -2.9012      0.2987        1.88300    40.76    0.816
6        6.6566      0.0969        1.                  0.825
7        2.2651      0.4862        1.67270    32.10    0.857
8        7.9728      d8            1.                  0.830
9        2.1192      0.9855        1.49700    81.54    0.806
10        2.7662      d10           1.                  0.651
11(絞り)   ∞         0.0820        1.                  0.510
12*       1.5966      0.3119        1.88300    40.76    0.557
13*       1.8942      0.0923        1.                  0.547
14        1.2718      0.3000        1.88300    40.76    0.588
15        0.8534      1.2563        1.51742    52.43    0.549
16       -2.5219      0.2499        1.                  0.650
17      263.2306      0.8622        1.49700    81.54    0.650
18       -1.3145      0.3172        1.92286    18.90    0.650
19        2.8013      0.1794        1.                  0.733
20       17.9648      0.6025        1.78472    25.68    0.806
21       -2.5539      0.0985        1.                  0.937
22        4.4647      0.4767        1.78472    25.68    1.044
23      837.6148      0.3500        1.                  1.056
24         ∞         1.5000        1.51633    64.14    1.078
25         ∞         0.0239        1.                  1.140
像面         ∞         0.
非球面データ
第１２面
K=0.
A2=0.0000E+00,A4=5.4679E-02,A6=-7.3153E-02,A8=1.8821E-01,
A10=-2.6187E-01
第１３面
K=0.
A2=0.0000E+00,A4=1.1151E-01,A6=-2.3505E-02,A8=4.5913E-02,
A10=-1.4874E-01
各種データ
遠点          近点
OBJ     17.0000        3.0000 
FL       0.95516       0.95802 
MG      -0.052812     -0.235620 
FNO      3.9309        3.8269 
FIY      1.140         1.140 
LTL     11.7045       11.7045 
FB      -0.02656      -0.20184
d8       0.28665       1.04021
d10      1.26710       0.51353
β1      0.05086       0.21466
β2      1.08934       1.15157
β3     -0.95317      -0.95317
各群焦点距離
f1=-0.93319,    f2=12.10818,    f3=2.86916
【０２９２】
数値実施例６
単位    ｍｍ
面データ
面番号       r            d            nd        νd       ER
物面         ∞        23.0000        1.
1         ∞         0.3000        1.88300    40.76    1.571
2        1.7470      0.6621        1.                  1.132
3*      -4.2685      0.3000        1.72916    54.68    1.063
4*       3.7770      0.2160        1.                  0.956
5         ∞         0.4000        1.51633    64.14    0.954
6         ∞         0.1108        1.                  0.944
7      -17.4502      0.5181        1.92286    18.90    0.941
8      -10.3965      d8            1.                  0.944
9        1.5833      0.4878        1.49700    81.54    0.901
10        1.8138      d10           1.                  0.797
11*       2.0822      0.5220        1.78472    25.68    0.617
12*       5.1997      0.1860        1.                  0.510
13(絞り)   ∞         0.1072        1.                  0.461
14        2.9753      0.6919        1.49700    81.54    0.503
15       -1.0647      0.3872        1.88300    40.76    0.565
16       -1.7532      0.0524        1.                  0.659
17        5.0986      1.1895        1.49700    81.54    0.675
18       -2.2744      0.2551        1.84666    23.78    0.678
19        1.9563      0.1986        1.                  0.708
20        7.0637      1.0263        1.75500    52.32    0.768
21      -56.6101      0.0943        1.                  0.995
22        4.0097      0.7954        1.80610     40.92   1.102
23     -134.7099      0.4191        1.                  1.149
24        5.0000      1.0000        1.88300     40.76   1.222
25         ∞         0.6000        1.51633     64.14   1.177
26         ∞         0.0438        1.                  1.141
像面         ∞         0.
非球面データ
第３面
K=0.
A2=0.0000E+00,A4=3.5276E-02,A6=0.0000E+00,A8=0.0000E+00,
A10=0.0000E+00
第４面
K=-1.0818
A2=0.0000E+00,A4=4.7890E-02,A6=0.0000E+00,A8=0.0000E+00,
A10=0.0000E+00
第１１面
K=-1.0160
A2=0.0000E+00,A4=4.6118E-02,A6=0.0000E+00,A8=0.0000E+00,
A10=0.0000E+00
第１２面
K=0.
A2=0.0000E+00,A4=6.2475E-02,A6=0.0000E+00,A8=0.0000E+00,
A10=0.0000E+00
各種データ
遠点          近点
OBJ     23.0000        3.5000 
FL       1.03441       1.03782  
MG      -0.042738     -0.221516
FNO      3.9188        3.8833
FIY      1.140         1.140
LTL     12.0401       12.0401
FB      -4.39842E-04  -0.18612
d8       0.27203       1.10206
d10      1.20450       0.37447
β1      0.04470       0.22050
β2      1.11291       1.16928
β3     -0.85917      -0.85917
各群焦点距離
f1=-1.09319,    f2=14.72325,    f3=3.65996
【０２９３】
数値実施例７
単位    ｍｍ
面データ
面番号       r            d            nd        νd       ER
物面         ∞        23.0000        1.
1         ∞         0.3000        1.88300    40.76    1.583
2        1.7269      0.6987        1.                  1.137
3       -4.9307       0.3000       1.72916    54.68    1.072
4        4.3840      0.2021        1.                  1.007
5         ∞         0.4000        1.51633    64.14    1.003
6         ∞         0.0980        1.                  0.992
7      -26.4786      0.4796        1.92286    18.90    0.989
8      -45.6102      d8            1.                  0.987
9*       2.0140      1.1515        1.49700    81.54    0.973
10        2.4988      d10           1.                  0.781
11*       2.6171      0.5364        1.78472    25.68    0.636
12*      14.2466      0.1441        1.                  0.549
13(絞り)   ∞         0.1102        1.                  0.514
14        2.9538      0.8289        1.49700    81.54    0.553
15       -1.3287      0.2711        1.88300    40.76    0.612
16       -2.0378      0.0825        1.                  0.667
17        9.5107      1.2111        1.49700    81.54    0.674
18       -1.7947      0.7085        1.84666    23.78    0.673
19        2.1692      0.1784        1.                  0.746
20       10.4491      0.5389        1.75500    52.32    0.790
21       -5.2124      0.2562        1.                  0.899
22        7.9773      0.7946        1.80610    40.92    1.025
23      -26.2995      0.4284        1.                  1.100
24        5.0000      1.0000        1.88300    40.76    1.195
25         ∞         0.6000        1.51633    64.14    1.167
26         ∞         0.0440        1.                  1.142
像面         ∞         0.
非球面データ
第９面
K=0.
A2=0.0000E+00,A4=-7.9705E-03,A6=0.0000E+00,A8=0.0000E+00,
A10=0.0000E+00
第１１面
K=-0.8102
A2=0.0000E+00,A4=2.7721E-02,A6=0.0000E+00,A8=0.0000E+00,
A10=0.0000E+00
第１２面
K=0.
A2=0.0000E+00,A4=4.0853E-02,A6=0.0000E+00,A8=0.0000E+00,
A10=0.0000E+00
各種データ
遠点          近点
OBJ     23.0000        3.5000 
FL       1.02204       1.05587 
MG      -0.042130     -0.223151 
FNO      3.9177        3.8814 
FIY      1.140         1.140 
LTL     12.9220       12.9220 
FB       9.38560E-04  -0.19162
d8       0.27054       1.17354
d10      1.28822       0.38522
β1      0.04162       0.20559
β2      1.06956       1.14689
β3     -0.94641      -0.94641
各群焦点距離
f1=-1.01762,    f2=11.67815,    f3=3.90807
【０２９４】
数値実施例８
単位    ｍｍ
面データ
面番号       r            d            nd        νd       ER
物面         ∞        16.0000        1.
1         ∞         0.2500        1.88300    40.76    1.282
2*       0.9612      0.6709        1.                  0.877
3         ∞         0.4000        1.49400    75.01    0.833
4         ∞         0.1500        1.                  0.782
5       -5.5346      0.2500        1.77250    49.60    0.764
6        2.4020      0.4500        1.95906    17.47    0.745
7      -15.4746      d7            1.                  0.724
8*       8.6565      0.5000        1.74320    49.34    0.659
9*      51.2636      d9            1.                  0.628
10        2.9556      0.4161        1.65160    58.55    0.560
11       -8.3048      0.1000        1.                  0.399
12(絞り)   ∞         0.1000        1.                  0.366
13       -1.5648      0.2500        1.88300    40.76    0.377
14        2.2526      0.4000        1.49700    81.54    0.462
15       -1.5310      0.2000        1.                  0.560
16      -37.1740      0.7000        1.49700    81.54    0.680
17       -1.2180      0.3360        1.77250    49.60    0.789
18       -1.9323      0.2000        1.                  0.923
19        6.2625      0.5000        1.49700    81.54    1.027
20       -3.2562      0.6500        1.                  1.045
21         ∞         0.2000        1.51633    64.14    0.999
22         ∞         0.2030        1.                  0.991
23         ∞         4.3000        1.63854    55.38    0.980
24         ∞         0.3500        1.51633    64.14    0.831
25         ∞         0.0444        1.                  0.818
像面         ∞         0.
非球面データ
第２面
K=-0.4160
A2=0.0000E+00,A4=-8.4650E-02,A6=1.3557E-01,A8=-1.2736E-01,
A10=3.9760E-02,A12=-1.2666E-09,A14=0.0000E+00,
A16=0.0000E+00,A18=0.0000E+00,A20=0.0000E+00
第８面
K=0.
A2=0.0000E+00,A4=-4.4332E-02,A6=0.0000E+00,A8=0.0000E+00,
A10=0.0000E+00
第９面
K=0.
A2=0.0000E+00,A4=-6.7341E-02,A6=0.0000E+00,A8=0.0000E+00,
A10=0.0000E+00
各種データ
遠点          近点
OBJ     16.0000        2.5000 
FL       0.75025       0.72600 
MG      -0.044343     -0.212650 
FNO      3.6905        3.6648 
FIM      0.812         0.812 
LTL     13.0974       13.0974 
FB       0.01109      -0.11003 
d7       0.42707       1.09071 
d9       1.05000       0.38636 
β1      0.06595       0.30490 
β2      1.27724       1.32483 
β3     -0.52644      -0.52644 
各群焦点距離
f1=-1.13600,    f2=13.94442,    f3=2.57607 
【０２９５】
数値実施例９
単位    ｍｍ
面データ
面番号       r            d            nd        νd       ER
物面         ∞        16.0000        1.
1         ∞         0.2500        1.88300    40.76    1.264
2*       0.9272      1.1000        1.                  0.857
3         ∞         0.4000        1.49400    75.01    0.751
4         ∞         d4            1.                  0.708
5*      -9.5539      0.6179        1.88300    40.76    0.626
6*      -6.5358      d6            1.                  0.620
7        4.3878      0.4161        1.95906    17.47    0.560
8       -3.3352      0.1000        1.                  0.439
9(絞り)   ∞         0.1000        1.                  0.390
10       -1.5583      0.2500        1.88300    40.76    0.393
11        2.0000      0.5400        1.48749    70.23    0.453
12       -1.3000      0.1000        1.                  0.560
13       -5.7457      0.8000        1.49700    81.54    0.610
14       -1.2000      0.2500        1.84666    23.78    0.730
15       -4.2732      0.1000        1.                  0.854
16*       5.3140      0.9434        1.49700    81.54    0.956
17*      -1.5831      0.6500        1.                  1.054
18         ∞         0.2000        1.51633    64.14    0.997
19         ∞         0.2000        1.                  0.989
20         ∞         4.3000        1.63854    55.38    0.978
21         ∞         0.3500        1.51633    64.14    0.831
22         ∞         0.0420        1.                  0.818
像面         ∞         0.
非球面データ
第２面
K=-0.3786
A2=0.0000E+00,A4=-4.8645E-02,A6=5.8716E-02,A8=-7.4460E-02,
A10=1.7666E-02,A12=-1.2683E-09,A14=0.0000E+00,
A16=0.0000E+00,A18=0.0000E+00,A20=0.0000E+00
第５面
K=0.
A2=0.0000E+00,A4=-4.5962E-02,A6=0.0000E+00,A8=0.0000E+00,
A10=0.0000E+00
第６面
K=0.
A2=0.0000E+00,A4=-5.7654E-02,A6=0.0000E+00,A8=0.0000E+00,
A10=0.0000E+00
第１６面
K=0.
A2=0.0000E+00,A4=-1.9531E-02,A6=5.2759E-03,A8=-3.6036E-04,
A10=0.0000E+00
第１７面
K=0.
A2=0.0000E+00,A4=1.9479E-02,A6=1.3298E-03,A8=4.9924E-03,
A10=0.0000E+00
各種データ
遠点          近点
OBJ     16.0000        2.5000 
FL       0.75052       0.72372 
MG      -0.044403     -0.212614 
FNO      3.7116        3.6936 
FIM      0.812         0.812 
LTL     13.2865       13.2865 
FB       0.00868      -0.11186 
d4       0.53174       1.21609 
d6       1.04533       0.36098 
β1      0.06111       0.28511 
β2      1.21847       1.25048 
β3     -0.59635      -0.59635 
各群焦点距離
f1=-1.05000,    f2=21.37800,    f3=2.80754 
【０２９６】
数値実施例１０
単位    ｍｍ
面データ
面番号       r            d            nd        νd       ER
物面         ∞        15.8000        1.
1         ∞         0.2500        1.88300    40.76    1.298
2*       1.1014      0.7055        1.                  0.910
3        4.9262      0.2500        1.88300    40.76    0.812
4        2.2000      d4            1.                  0.743
5         ∞         0.4000        1.49400    75.01    0.690
6         ∞         0.1000        1.                  0.674
7*       1.8277      0.5170        1.51633    64.14    0.660
8*       2.3331      d8            1.                  0.590
9        4.0162      0.4161        1.95906    17.47    0.560
10       -3.2257      0.1000        1.                  0.448
11(絞り)   ∞         0.1000        1.                  0.400
12       -1.5381      0.2500        1.88300    40.76    0.398
13        2.2458      0.5400        1.48749    70.23    0.457
14       -1.3000      0.2000        1.                  0.560
15       -9.0844      0.8000        1.49700    81.54    0.638
16       -1.2998      0.2500        1.84666    23.78    0.751
17       -5.5081      0.1000        1.                  0.870
18*       3.9469      0.9447        1.49700    81.54    0.986
19*      -1.6844      0.6500        1.                  1.058
20         ∞         0.2000        1.51633    64.14    1.001
21         ∞         0.2000        1.                  0.993
22         ∞         4.3000        1.63854    55.38    0.981
23         ∞         0.3500        1.51633    64.14    0.828
24         ∞         0.0428        1.                  0.814
像面         ∞         0.
非球面データ
第２面
K=-2.2853
A2=0.0000E+00,A4=1.3338E-01,A6=2.5305E-02,A8=-4.2323E-02,
A10=2.6226E-02,A12=-1.2684E-09,A14=0.0000E+00,
A16=0.0000E+00,A18=0.0000E+00,A20=0.0000E+00
第７面
K=0.
A2=0.0000E+00,A4=-6.4410E-02,A6=0.0000E+00,A8=0.0000E+00,
A10=0.0000E+00
第８面
K=0.
A2=0.0000E+00,A4=-9.2071E-02,A6=0.0000E+00,A8=0.0000E+00,
A10=0.0000E+00
第１８面
K=0.
A2=0.0000E+00,A4=-1.3990E-02,A6=1.2717E-02,A8=1.9476E-04,
A10=0.0000E+00
第１９面
K=0.
A2=0.0000E+00,A4=2.4646E-02,A6=4.1843E-03,A8=7.7537E-03,
A10=0.0000E+00
各種データ
遠点          近点
OBJ     15.8000        2.6200 
FL       0.75036       0.74853 
MG      -0.044776     -0.209826 
FNO      3.6332        3.6154 
FIM      0.812         0.812 
LTL     13.2903       13.2903 
FB       0.00925      -0.11422 
d4       0.60084       1.19477 
d8       1.02333       0.42940 
β1      0.05010       0.22503 
β2      1.13061       1.17962 
β3     -0.79044      -0.79044 
各群焦点距離
f1=-0.84949,    f2=12.12002,    f3=2.73833 
【０２９７】
数値実施例１１
単位    ｍｍ
面データ
面番号       r            d            nd        νd       ER
物面         ∞        12.5000        1.
1         ∞         0.2500        1.88300    40.76    1.337
2*       0.8692      0.5880        1.                  0.900
3         ∞         0.4000        1.49400    75.01    0.887
4         ∞         0.0878        1.                  0.848
5       -9.0618      0.2500        1.81600    46.62    0.841
6        1.0427      0.7558        1.80518    25.42    0.815
7       17.0221      d7            1.                  0.801
8*       3.0758      0.4338        1.80610    40.92    0.798
9        3.6580      d9            1.                  0.740
10*       2.1247      0.6051        1.72916    54.68    0.650
11*       9.8770      0.1000        1.                  0.523
12(絞り)   ∞         0.1000        1.                  0.505
13        2.4630      0.3572        1.74951    35.33    0.520
14        0.9957      1.5342        1.49700    81.54    0.517
15       -4.3095      0.4000        1.                  0.650
16        3.5884      0.3000        1.83400    37.16    0.735
17        1.5227      0.5851        1.49700    81.54    0.731
18*    -405.9130      0.6000        1.                  0.777
19        3.5202      0.6000        1.53172    48.84    0.901
20         ∞         2.4000        1.51633    64.14    0.910
21         ∞         0.0260        1.                  0.950
像面         ∞         0.
非球面データ
第２面
K=-0.9776
A2=0.0000E+00,A4=-8.8118E-03,A6=6.8995E-02,A8=0.0000E+00,
A10=0.0000E+00
第８面
K=0.
A2=0.0000E+00,A4=-9.1674E-04,A6=3.1219E-02,A8=-8.5050E-03,
A10=0.0000E+00
第１０面
K=0.
A2=0.0000E+00,A4=-1.0574E-02,A6=-6.0806E-02,A8=0.0000E+00,
A10=0.0000E+00
第１１面
K=0.
A2=0.0000E+00,A4=2.6851E-03,A6=-6.5815E-02,A8=0.0000E+00,
A10=0.0000E+00
第１８面
K=0.
A2=0.0000E+00,A4=9.0488E-03,A6=-1.1887E-02,A8=0.0000E+00,
A10=0.0000E+00
各種データ
遠点          近点
OBJ     12.5000        2.1000 
FL       0.79078       0.78170 
MG      -0.059423     -0.269569 
FNO      3.6685        3.5909 
FIM      0.948         0.948 
LTL     11.9080       11.9080 
FB      -0.02102      -0.18476 
d7       0.23000       1.06652 
d9       1.30502       0.46850 
β1      0.05531       0.24046 
β2      1.07157       1.11807 
β3     -1.00267      -1.00267 
各群焦点距離
f1=-0.74700,    f2=17.99209,    f3=2.73069
【０２９８】
数値実施例１２
単位    ｍｍ
面データ
面番号       r            d            nd        νd       ER
物面         ∞        12.0000        1.
1         ∞         0.2500        1.88300    40.76    0.959
2*       0.5867      0.7292        1.                  0.604
3       -2.9628      0.2500        1.77250    49.60    0.580
4        1.8141      0.6400        1.84666    23.78    0.598
5       -3.6936      d5            1.                  0.611
6        1.4089      0.5984        1.65160    58.55    0.568
7        1.5806      d7            1.                  0.446
8(絞り)   ∞         0.1000        1.                  0.320
9        3.0016      0.3300        1.49700    81.54    0.363
10       -2.8548      0.2000        1.                  0.415
11        3.2270      0.5193        1.49700    81.54    0.469
12       -0.9500      0.5877        1.84666    23.78    0.498
13       -1.9860      0.2000        1.                  0.611
14         ∞         0.4000        1.51633    64.14    0.629
15         ∞         1.8314        1.                  0.645
16        1.4990      0.4755        1.65160    58.55    0.769
17         ∞         0.3000        1.51633    64.14    0.719
18         ∞         0.0256        1.                  0.656
像面         ∞         0.
非球面データ
第２面
K=-3.9151
A2=0.0000E+00,A4=1.8116E+00,A6=-3.8819E+00,A8=7.7408E+00,
A10=-6.1502E+00,A12=-1.6103E-08,A14=0.0000E+00,
A16=0.0000E+00,A18=0.0000E+00,A20=0.0000E+00
各種データ
遠点          近点
OBJ     12.0000        2.3000 
FL       0.57445       0.58774 
MG      -0.045069     -0.193515 
FNO      3.7639        3.8219 
FIM      0.644         0.644 
LTL      8.5877        8.5877 
FB      -0.00025      -0.08809 
d5       0.31000       0.75760 
d7       0.84053       0.39293 
β1      0.06232       0.25629 
β2      1.21026       1.26367 
β3     -0.59752      -0.59752 
各群焦点距離
f1=-0.79876,    f2=8.38077,    f3=3.42474
【０２９９】
数値実施例１３
単位    ｍｍ
面データ
面番号       r            d            nd        νd       ER
物面         ∞        12.0000        1.
1         ∞         0.2500        1.88300    40.76    0.893
2*       0.6145      0.5000        1.                  0.568
3       -4.0000      0.3000        1.84666    23.78    0.553
4       -3.4224      d4            1.                  0.560
5*      31.9001      0.5000        1.88300    40.76    0.515
6*     -17.3823      d6            1.                  0.495
7        1.8552      0.3300        1.84666    23.78    0.350
8       46.7757      0.1000        1.                  0.326
9(絞り)   ∞         0.1000        1.                  0.320
10       25.5320      0.4989        1.75520    27.51    0.325
11        0.8906      0.4000        1.49700    81.54    0.358
12       -2.4506      0.2000        1.                  0.408
13        1.0440      0.7000        1.49700    81.54    0.516
14       -1.0416      0.2500        1.88300    40.76    0.509
15       -6.0889      0.2000        1.                  0.544
16         ∞         0.4000        1.51633    64.14    0.568
17         ∞         0.6150        1.                  0.596
18        2.1494      0.4755        1.49700    81.54    0.674
19         ∞         0.3000        1.51633    64.14    0.659
20         ∞         0.0248        1.                  0.647
像面         ∞         0.
非球面データ
第２面
K=-0.8313
A2=0.0000E+00,A4=1.4924E-01,A6=5.1736E-02,A8=1.3166E+00,
A10=4.5628E-01,A12=-1.6078E-08,A14=0.0000E+00,
A16=0.0000E+00,A18=0.0000E+00,A20=0.0000E+00
第５面
K=0.
A2=0.0000E+00,A4=-1.7950E-01,A6=1.6874E-01,A8=0.0000E+00,
A10=0.0000E+00
第６面
K=0.
A2=0.0000E+00,A4=-1.5197E-01,A6=8.9040E-02,A8=0.0000E+00,
A10=0.0000E+00
各種データ
遠点          近点
OBJ     12.0000        2.3000 
FL       0.64034       0.62321 
MG      -0.050709     -0.213041 
FNO      3.6212        3.5887 
FIM      0.644         0.644 
LTL      7.3292        7.3292 
FB      -0.00767      -0.10797 
d4       0.30500       0.76596 
d6       0.88000       0.41904 
β1      0.05971       0.24344 
β2      1.18240       1.21841 
β3     -0.71827      -0.71827 
各群焦点距離
f1=-0.76740,    f2=12.80321,    f3=2.08817
【０３００】
数値実施例１４
単位    ｍｍ
面データ
面番号       r            d            nd        νd       ER
物面         ∞        12.0000        1.
1         ∞         0.3000        1.88300    40.76    0.956
2*       0.6059      0.5726        1.                  0.590
3       -2.2791      0.3000        1.77250    49.60    0.568
4        2.2000      0.6000        1.84666    23.78    0.588
5       -5.1712      d5            1.                  0.611
6*       1.1177      0.5146        1.51633    64.14    0.582
7*       1.2614      d7            1.                  0.492
8        2.4878      0.3800        1.72916    54.68    0.408
9         ∞         0.1000        1.                  0.378
10(絞り)   ∞         0.1000        1.                  0.370
11        1.7000      0.2500        1.80518    25.42    0.385
12        1.0712      0.5000        1.49700    81.54    0.381
13         ∞         0.2000        1.                  0.408
14        1.4815      0.7000        1.49700    81.54    0.456
15       -0.9675      0.4036        1.88300    40.76    0.458
16       -9.2037      0.2000        1.                  0.515
17         ∞         0.4000        1.49400    75.01    0.550
18         ∞         0.7801        1.                  0.593
19        1.6195      0.6259        1.69680    55.53    0.749
20         ∞         0.3000        1.51633    64.14    0.695
21         ∞         0.0264        1.                  0.654
像面         ∞         0.
非球面データ
第２面
K=-3.9794
A2=0.0000E+00,A4=1.7134E+00,A6=-3.7300E+00,A8=7.5080E+00,
A10=-5.6418E+00,A12=-1.6099E-08,A14=0.0000E+00,
A16=0.0000E+00,A18=0.0000E+00,A20=0.0000E+00
第６面
K=0.
A2=0.0000E+00,A4=-1.2803E-01,A6=0.0000E+00,A8=0.0000E+00,
A10=0.0000E+00
第７面
K=0.
A2=0.0000E+00,A4=-1.0352E-01,A6=0.0000E+00,A8=0.0000E+00,
A10=0.0000E+00
各種データ
遠点          近点
OBJ     12.0000        2.3000 
FL       0.59329       0.60659 
MG      -0.046655     -0.201619 
FNO      3.6591        3.6799      
FIM      0.644         0.644 
LTL      8.4232        8.4232 
FB      -0.00123      -0.09585 
d5       0.30000       0.73415 
d7       0.87000       0.43585 
β1      0.05072       0.20971 
β2      1.12026       1.17095 
β3     -0.82104      -0.82104
各群焦点距離
f1=-0.64900,    f2=8.56357,    f3=3.24456
【０３０１】
次に、各実施例における条件式の値を以下に掲げる。-（ハイフン）は該当する構成がないことを示す。
実施例１       実施例２       実施例３
(1)(n2C’-n2C) /r2C   -0.242749      -0.4375015     -0.1993855
(2)fL/R31F             0.23622396     0.4082845      0.3589840
(3)fL×ΣPSNi          -0.4654942     -0.6185885     -0.3890205
(5)(R3R1+R3R2)
/(R3R1-R3R2)          -              -              -
(6)('R3R1+'R3R2)
/('R3R1-'R3R2)      -0.918874      -0.9152799     -0.7843584
(7)fL/rSNr             -0.7041468     -0.6722869     -0.6495990
(8)ν31P-ν32P         -11.67         -23.38         -23.38
(9)ν33P
-(ν31P+ν32P)/2      17.545         11.69          11.69
(10)ν31N-ν32N         16.98          16.98          16.98
(11)(R21F+R21R)
/(R21F-R21R)      -4.8921126     -9.4646465    -11.973222
(12)D21/fL             1.5914113      0.6535292      0.41628566
(13)β2F               1.11562        1.07292        1.08765
(14)β2N/β2F          1.07690791     1.05047907     1.04943686
(15)(1-β2F2)
×β3F2          0.19795146     0.16377141     0.18136496
(16)(1-β2N2)
×β3N2          0.35883399     0.29286664     0.30016251
(17)SD1/fL             2.89013967     2.46427823     2.3448130
(18)fL/R12Fa            -              -              -
(19)fL/R12Fb            -              -              -
(20)fL/R12Fc          -0.1243713     -0.1812076     -0.0222827
(21)fL/R12R            -              -              -
(22)fL/FL12           -0.3307478     -0.4384452     -0.3742802
(23)|Rfin|/|ffin|       21.7069621     20.7680453      8.11519469
(24)fL×tanωmax        7.38281509     5.28502533     5.09395729
2ymax                   2.28           2.28           2.28
(25)ER2                0.663          0.654          0.653
4×fL/FEX               0.96373682     0.9189455      0.8904631
実施例４       実施例５       実施例６
(1)(n2C’-n2C)/r2C    -0.1225133     -0.4283806     -0.3625434
(2)fL/R31F             0.56554193     0.5982463      0.49678705
(3)fL×ΣPSNi          -0.3424523     -0.7186162     -0.5340459
(5)(R3R1+R3R2)
/(R3R1-R3R2)          -              -              -
(6)('R3R1+'R3R2)
/('R3R1-'R3R2)     -4.0103185     -1.0107176      -1.0000001
(7)fL/rSNr            -0.6792642     -0.7266337      -0.4548057
(8)ν31P-ν32P        -23.38         -11.67          -55.86
(9)ν33P
-(ν31P+ν32P)/2     11.69          34.945          27.93
(10)ν31N-ν32N        16.98          21.86           16.98
(11)(R21F+R21R)
/(R21F-R21R)     -5.673273       -7.5508501     -14.737961
(12)D21/fL            1.764065        1.03176431      0.47157317
(13)β2F              1.13728         1.08934         1.11291
(14)β2N/β2F         1.06189329      1.05712633      1.050651
(15)(1-β2F2)
×β3F2         0.21976094      0.17792027      0.20497104
(16)(1-β2N2)
×β3N2         0.34339165      0.31084157      0.31550073
(17)SD1/fL            3.5935522       2.57795553      2.4236328
(18)fL/R12Fa           -               -               -
(19)fL/R12Fb           -               -               -
(20)fL/R12Fc         -0.1604281      -0.3292293      -0.2423357
(21)fL/R12R            -              -                -
(22)fL/FL12          -0.3779965      -0.4235367      -0.3823077
(23)|Rfin|/|ffin|       0.69542232    146.472004     17660044.0
(24)fL×tanωmax       5.57185721      5.54292136      5.97085915
2ymax                  2.28            2.28            2.28
(25)ER2               0.749           0.65            0.659
4×fL/FEX              0.99482839      0.96676113      1.05363891
実施例７       実施例８       実施例９
(1)(n2C’-n2C)/r2C    -0.2905095     -0.1713575     -0.197755
(2)fL/R31F             0.39052386     0.25384017     0.17104699
(3)fL×ΣPSNi          -0.4960356     -0.2982604     -0.3671081
(5)(R3R1+R3R2)
/(R3R1-R3R2)          -             0.31583094      -
(6)('R3R1+'R3R2)
/('R3R1-'R3R2)      -1.0000001       -             0.5409375
(7)fL/rSNr             -0.5694768     -0.6159688     -0.6254333
(8)ν31P-ν32P         -55.86         -22.99         -52.76
(9)ν33P
-(ν31P+ν32P)/2      27.93          11.495         37.69
(10)ν31N-ν32N         16.98          -8.84          16.98
(11)(R21F+R21R)
/(R21F-R21R)      -9.3085809     -1.4063407       5.33106922
(12)D21/fL             1.12666823     0.66644452      0.82329585
(13)β2F               1.06956        1.27724         1.21847
(14)β2N/β2F          1.07230076     1.03726003      1.02627065
(15)(1-β2F2)
×β3F2          0.13624385     0.33236369      0.28903244
(16)(1-β2N2)
×β3N2          0.29845671     0.39755408      0.33616263
(17)SD1/fL             2.4249638      2.89354215      0.33310238
(18)fL/R12Fa            -            -0.1355563        -
(19)fL/R12Fb            -              -               -
(20)fL/R12Fc            -              -               -
(21)fL/R12R             -           -0.0484827        -
(22)fL/FL12           -0.3254904     0.00275924      0.03510712
(23)|Rfin|/|ffin|    17660044.0        0.74223843      0.61577658
(24)fL×tanωmax        5.89751183    2.28223144      2.24501224
2ymax                   2.28          1.624           1.624
(25)ER2                0.667         0.56            0.56
4×fL/FEX               1.04183486    0.80628694      0.80679387
実施例１０     実施例１１     実施例１２
(1)(n2C’-n2C)/r2C    -0.176111      -0.2536005     -0.3680632
(2)fL/R31F             0.18683333     0.37218431     0.19138126
(3)fL×ΣPSNi          -0.3340014     -0.3755556     -0.2114339
(5)(R3R1+R3R2)
/(R3R1-R3R2)          -            -1.0000001     -1
(6)('R3R1+'R3R2)
/('R3R1-'R3R2)       0.40177224      -              -
(7)fL/rSNr             -0.5772888      0.51932751     -0.6046842
(8)ν31P-ν32P         -52.76         -26.86            0
(9)ν33P
-(ν31P+ν32P)/2      37.69          13.43         -22.99
(10)ν31N-ν32N         16.98         -1.83             -
(11)(R21F+R21R)
/(R21F-R21R)      -8.232687     -11.566128      -17.411182
(12)D21/fL             0.68900261     0.5485723       1.04169205
(13)β2F               1.13061        1.07157         1.21026
(14)β2N/β2F          1.04334828     1.04339427      1.04413101
(15)(1-β2F2)
×β3F2          0.21996283     0.14865813      0.27768503
(16)(1-β2N2) 
×β3N2          0.3094599      0.25074824      0.3566369
(17)SD1/fL            1.60656218      2.94848125      3.25387762
(18)fL/R12Fa           -             -0.0872652      -0.1938875
(19)fL/R12Fb           -               -               -
(20)fL/R12Fc           -               -               -
(21)fL/R12R            -               -             -0.1555258
(22)fL/FL12          -0.1594984      -0.118959        0.02105524
(23)|Rfin|/|ffin|       0.66960843    15104827.4      43468810.7
(24)fL×tanωmax       2.28831395     2.41626746      1.76552611
2ymax                  1.624          1.896           1.288
(25)ER2               0.56           0.65            0.611
4×fL/FEX              0.82411862     0.85698185      0.61372863
実施例１３     実施例１４
(1)(n2C’-n2C)/r2C    -0.2899169     -0.287696
(2)fL/R31F             0.34515955     0.23847978
(3)fL×ΣPSNi          -0.422945      -0.40739
(5)(R3R1+R3R2)
/(R3R1-R3R2)        -1             -1
(6)('R3R1+'R3R2)
/('R3R1-'R3R2)       -               -
(7)fL/rSNr             -0.6147657     -0.6132196
(8)ν31P-ν32P          -57.76        -26.86
(9)ν33P
-(ν31P+ν32P)/2       28.88         13.43
(10)ν31N-ν32N         -13.25        -15.34
(11)(R21F+R21R)
/(R21F-R21R)       0.29458387   -16.556019
(12)D21/fL             0.78083518     0.86736672
(13)β2F               1.1824         1.12026
(14)β2N/β2F          1.03045501     1.04524842
(15)(1-β2F2)
×β3F2          0.28592157     0.20935081
(16)(1-β2N2)
×β3N2          0.34801828     0.30470757
(17)SD1/fL             1.63975388     2.98771259
(18)fL/R12Fa            -            -0.2603177
(19)fL/R12Fb            -              -
(20)fL/R12Fc            -              -
(21)fL/R12R           -0.1871026       -
(22)fL/FL12            0.02832398    -0.0676638
(23)|Rfin|/|ffin|      23122991     43025556.8
(24)fL×tanωmax        1.96016051     1.84324927
2ymax                   1.288          1.288
(25)ER2                0.408          0.408
4×fL/FEX               0.70425076     0.64929138
【０３０２】
図２９は、撮像装置の例である。この例では、撮像装置は内視鏡システムである。図２９は、内視鏡システムの概略構成を示す図である。
【０３０３】
内視鏡システム３００は、電子内視鏡を用いた観察システムである。内視鏡システム３００は、電子内視鏡３１０と画像処理装置３２０とから構成されている。電子内視鏡３１０は、スコープ部３１０ａと接続コード部３１０ｂとを備えている。また、画像処理装置３２０には、表示ユニット３３０が接続されている。
【０３０４】
スコープ部３１０ａは、操作部３４０と挿入部３４１に大別される。挿入部３４１は、細長で患者の体腔内へ挿入可能になっている。また、挿入部３４１は、可撓性を有する部材で構成されている。観察者は、操作部３４０に設けられているアングルノブ等により、諸操作を行うことができる。
【０３０５】
また、操作部３４０からは、接続コード部３１０ｂが延設されている。接続コード部３１０ｂは、ユニバーサルコード３５０を備えている。ユニバーサルコード３５０は、コネクタ３６０を介して画像処理装置３２０に接続されている。
【０３０６】
ユニバーサルコード３５０は、各種の信号等の送受信に用いられる。各種の信号としては、電源電圧信号及びＣＣＤ駆動信号等がある。これらの信号は、電源装置やビデオプロセッサからスコープ部３１０ａに送信される。また、各種の信号として映像信号がある。この信号は、スコープ部３１０ａからビデオプロセッサに送信される。
【０３０７】
なお、画像処理装置３２０内のビデオプロセッサには、図示しないＶＴＲデッキ、ビデオプリンタ等の周辺機器が接続可能である。ビデオプロセッサは、スコープ部３１０ａからの映像信号に対して信号処理を施す。映像信号に基づいて、表示ユニット３３０の表示画面上に内視鏡画像が表示される。
【０３０８】
挿入部３４１の先端部３４２には、光学系が配置されている。図３０は、内視鏡の光学系の構成を示す図である。光学系４００は、照明部と観察部とを有する。
【０３０９】
照明部は、ライトガイド４０１と照明レンズ４０２とを有する。ライトガイド４０１は、照明光を挿入部３４１の先端部３４２に伝送する。伝送された照明光は、ライトガイド４０１の先端面から出射する。
【０３１０】
先端部３４２には、照明レンズ４０２が配置されている。照明レンズ４０２は、ライトガイド４０１の先端面と対向する位置に配置されている。照明光は照明レンズ４０２を通過し、照明窓４０３から出射する。これにより、被検体内部の観察対象部位（以下、「観察部位４０４」という）が照明される。
【０３１１】
先端部３４２には、観察窓４０５が、照明窓４０３の隣に設けられている。観察部位４０４からの光は、観察窓４０５を通過して、先端部３４２内に入射する。観察窓４０５の後方には、観察部が設けられている。
【０３１２】
観察部は、広角光学系４０６と撮像素子４０７とを有する。広角光学系４０６に、例えば、実施例１の広角光学系が用いられている。
【０３１３】
観察部位４０４からの反射光は、広角光学系４０６を通過して撮像素子４０７に入射する。撮像素子４０７の撮像面には、観察部位４０４の像（光学像）が形成される。観察部位４０４の像は撮像素子４０７によって光電変換され、これにより観察部位４０４の画像が得られる。観察部位４０４の画像は表示ユニット３３０に表示される。このようにして、観察者は、観察部位４０４の画像を観察できる。
【０３１４】
広角光学系４０６では、像面は湾曲形状になっている。撮像素子４０７は、像面の形状と同じ湾曲形状の受光面（撮像面）を有している。撮像素子４０７を用いることで、撮影画像の画質を向上することができる。
【０３１５】
図３１は、撮像装置の光学系の構成を示す図である。光学系は、対物光学系ＯＢＪと、カバーガラスＣと、プリズムＰと、を有する。カバーガラスＣは、対物光学系ＯＢＪとプリズムＰとの間に配置されている。カバーガラスＣの代わりに、光学フィルタを配置しても良い。あるいは、カバーガラスＣは配置しなくても良い。
【０３１６】
図３１では、対物光学系ＯＢＪに、実施例８の広角光学系が用いられている。また、図３１では、プリズムＰと像面Ｉの間に、カバーガラスＣ’が配置されている。
【０３１７】
プリズムＰは、プリズムＰ１と、プリズムＰ２と、を有する。プリズムＰ１とプリズムＰ２は、共に三角プリズムである。プリズムＰ１とプリズムＰ２とで、光路分割素子が形成されている。
【０３１８】
プリズムＰ１は、光学面Ｓ１と、光学面Ｓ２と、光学面Ｓ３と、を有する。プリズムＰ２は、光学面Ｓ３と、光学面Ｓ４と、光学面Ｓ５と、を有する。プリズムＰ１は、プリズムＰ２に接合されている。プリズムＰ１とプリズムＰ２とで、接合面が形成される。光学面Ｓ３は、接合面である。
【０３１９】
対物光学系ＯＢＪから射出された光（以下、「結像光」という）は、カバーガラスＣを通過して、光学面Ｓ１に入射する。光学面Ｓ１は透過面なので、結像光は光学面Ｓ１を透過する。
【０３２０】
続いて、結像光は光学面Ｓ３に入射する。光学面Ｓ３は、面の法線が光軸に対して４５度となるように配置されている。光学面Ｓ３に入射した結像光は、光学面Ｓ３を透過する光（以下、「結像光１」という）と、光学面Ｓ３で反射される光（以下、「結像光２」という）と、に分かれる。
【０３２１】
結像光１と結像光２は、互いに異なる方向に進行する。結像光１が進行する光路を第１の光路とし、結像光２が進行する光路を第２の光路とすると、光学面Ｓ３によって、第１の光路と第２の光路が形成される。このように、光学面Ｓ３は、光路分割面として機能する。
【０３２２】
第１の光路は、対物光学系ＯＢＪの光路の延長線上に形成されている。第２の光路は、第１の光路と交差するように形成されている。図３１では、第２の光路は第１の光路と直交している。
【０３２３】
第１の光路には、光学面Ｓ３、光学面Ｓ４、及び光学面Ｓ５が位置している。光学面Ｓ３を透過した結像光１は、光学面Ｓ４に入射する。光学面Ｓ４は反射面である。結像光１は光学面Ｓ４で反射され、光学面Ｓ５に入射する。光学面Ｓ５は透過面である。結像光１は光学面Ｓ５を透過し、光学面Ｓ５の近傍の像面Ｉに集光する。像面Ｉに、結像光１による光学像が形成される。
【０３２４】
第２の光路には、光学面Ｓ３、光学面Ｓ２、光学面Ｓ３、及び光学面Ｓ５が位置している。光学面Ｓ３で反射された結像光２は、光学面Ｓ２に入射する。光学面Ｓ２は反射面である。結像光２は光学面Ｓ２で反射され、光学面Ｓ３に入射する。光学面Ｓ３では、結像光２は、光学面Ｓ３を透過する光と、光学面Ｓ３で反射される光と、に分かれる。
【０３２５】
光学面Ｓ３を透過した結像光２は、光学面Ｓ５に入射する。結像光２は光学面Ｓ５を透過し、光学面Ｓ５の近傍の像面Ｉに集光する。像面Ｉに、結像光２による光学像が形成される。
【０３２６】
図３１に示す光学系では２つの光路が形成されているので、同一平面に光学像が２つ形成される。この同一平面は、２つの光路における像面Ｉである。
【０３２７】
第１の光路における光路長と第２の光路における光路長が等しい場合、同一平面内の異なる位置に、ピントの合った光学像が２つ形成される。２つの光学像は、同一物体にピントが合ったときの光学像である。よって、一方の光学像における物体面の位置と他方の光学像における物体面の位置は等しい。
【０３２８】
一方、第１の光路における光路長と第２の光路における光路長が異なる場合も、同一平面内の異なる位置に、ピントの合った光学像が２つ形成される。ただし、２つの光学像は、異なる物体にピントが合ったときの光学像である。よって、一方の光学像における物体面の位置と他方の光学像における物体面の位置は異なる。
【０３２９】
例えば、第１の光路における光路長が第２の光路における光路長よりも短いとする。この場合、結像光１によって形成される光学像の物体面は、結像光２によって形成される物体面よりも遠くに位置している。このように、対物光学系ＯＢＪからの距離（以下、「物体距離」という）が異なる２つの物体面に対して、それぞれピントを合わせることになる。２つの物体面で物体距離が異なっていても、同一平面内の異なる位置に、２つの光学像が形成される。
【０３３０】
対物光学系ＯＢＪは、ピントの合っている区間（以下、「合焦区間」という）を有する。合焦区間は物体距離で表される区間であって、対物光学系ＯＢＪの被写界深度に相当する。合焦区間では、物体面がどこに位置していても、ピントの合った光学像が形成される。
【０３３１】
２つの物体面で物体距離が異なる場合、一方の物体面における合焦区間の位置と、他方の物体面における合焦区間の位置との間で、ずれが生じる。２つの物体面の間隔を適切に設定することで、一方の物体面における合焦区間の一部と、他方の物体面における合焦区間の一部を、重複させることができる。
【０３３２】
こうして、合焦区間がずれた２つの光学像を撮像し、これにより２つの画像を取得する。そして、撮像した２つの画像からピントが合っている領域（被写界深度に相当する範囲の画像領域）だけを抽出し、抽出した領域を合成する。このようにすることで、被写界深度の大きな画像を取得することができる。
【０３３３】
光学面Ｓ３には、例えば、ハーフミラー面、又は偏光ビームスプッリタ面を用いることができる。
【０３３４】
光学面Ｓ３がハーフミラー面の場合、結像光の光量の半分が光学面Ｓ３で反射され、残りの半分が光学面Ｓ３を透過する。よって、結像光２の光量は、結像光の光量の半分の光量になる。結像光２は、光学面Ｓ２で反射される。光学面Ｓ２で反射された結像光２は、光学面Ｓ３を透過する。光学面Ｓ３では、結像光２の光量の半分しか透過させることができない。
【０３３５】
光学面Ｓ３が偏光ビームスプッリタ面の場合、カバーガラスＣの代わりに、偏光解消板、又は波長板を用いてもよい。また、光学面Ｓ２は反射面ではなく、透過面である。そして、光学面Ｓ２から離れた位置に、反射面を配置する。更に、光学面Ｓ２と反射面との間に、λ／４波長板を配置する。
【０３３６】
Ｐ偏光は紙面内に光の振幅を持つ偏光で、Ｓ偏光は紙面と直交する面内に振幅を持つ偏光である。Ｐ偏光は光学面Ｓ３を透過し、Ｓ偏光は光学面Ｓ３で反射されるとすると、Ｐ偏光が結像光１に対応し、Ｓ偏光が結像光２に対応する。
【０３３７】
例えば、カバーガラスＣの代わりに偏光解消板が用いられると、結像光は偏光解消板を通過する。そのため、偏光解消板から射出された結像光では、結像光に含まれるＰ偏光とＳ偏光の割合は、略半分になる。光学面Ｓ３に入射した結像光は、光学面Ｓ３でＰ偏光とＳ偏光に分かれる。よって、結像光２の光量は、結像光の光量の半分の光量になる。
【０３３８】
光学面Ｓ３から光学面Ｓ２に向かうときの結像光２は、Ｓ偏光である。光学面Ｓ２が反射面の場合、結像光２はＳ偏光のままで光学面Ｓ３に向かって反射される。光学面Ｓ２から光学面Ｓ３に向かうときの結像光２はＳ偏光なので、結像光２は光学面Ｓ３を透過できない。
【０３３９】
一方、光学面Ｓ２が透過面の場合、結像光２は反射面で反射される。光学面Ｓ２と反射面との間には、λ／４波長板が配置されている。光学面Ｓ２と反射面との間を結像光２が往復することで、結像光２における偏光方向が９０度回転する。よって、Ｓ偏光をＰ偏光に変換することができる。その結果、光学面Ｓ２から光学面Ｓ３に向かうときの結像光は、Ｐ偏光になる。
【０３４０】
光学面Ｓ３には、Ｐ偏光に変換された結像光２が到達する。よって、結像光２は光学面Ｓ３で反射されない。すなわち、光学面Ｓ３では、結像光２の光量のほぼ全てを透過させることができる。
【０３４１】
図３２は、撮像装置の概略構成を示す図である。（Ａ）は全体構成を示す図、（Ｂ）は物体の向きを示す図である。
【０３４２】
図３２（Ａ）に示すように、撮像装置５００は、対物光学系５０１と、偏光解消板５０２と、第１プリズム５０３と、第２プリズム５０４と、第３プリズム５０５と、波長板５０６と、ミラー５０７と、撮像素子５０８と、画像処理部５１１と、画像表示装置５１２と、を有する。
【０３４３】
撮像装置５００では、第１プリズム５０３、第２プリズム５０４、及び第３プリズム５０５で、光路分割素子が形成されている。
【０３４４】
対物光学系５０１は、物体の像を形成する。対物光学系５０１と第１プリズム５０３との間に、偏光解消板５０２が配置されている。
【０３４５】
第１プリズム５０３と第２プリズム５０４は接合されている。第１プリズム５０３と第２プリズム５０４によって、接合面５０９が形成されている。接合面５０９に入射した光は、接合面５０９で反射された光と、接合面５０９を透過する光に分かれる。
【０３４６】
接合面５０９には、偏光ビームスプリッタ面を用いることができる。この場合、接合面５０９では、例えば、Ｐ偏光は透過され、Ｓ偏光は反射される。
【０３４７】
接合面５０９を透過したＰ偏光は、第２プリズム５０４から射出される。Ｐ偏光は、第３プリズム５０５に入射し、光学面５１０に到達する。光学面５１０は、例えば、ミラー面である。よって、Ｐ偏光は、光学面５１０で反射される。
【０３４８】
光学面５１０で反射されたＰ偏光は、第３プリズム５０５から射出され、撮像素子５０８に入射する。図３２（Ｂ）に示すように、撮像素子５０８は、第１領域５１３と、第２領域５１４と、を有する。光学面５１０で反射されたＰ偏光は、第１領域５１３に入射する。よって、第１領域５１３に、光学像が形成される。
【０３４９】
一方、接合面５０９で反射されたＳ偏光は、第１プリズム５０３から射出される。Ｓ偏光は、波長板５０６に入射する。波長板５０６には、λ／４波長板が用いられている。そのため、Ｓ偏光は、波長板５０６で円偏光に変換される。その結果、波長板５０６から、円偏光が射出される。
【０３５０】
円偏光は、ミラー５０７で反射され、再び波長板５０６に入射する。波長板５０６から射出された光は、第１プリズム５０３に入射し、接合面５０９に到達する。波長板５０６に入射した円偏光は、波長板５０６でＰ偏光に変換される。接合面５０９に到達した光はＰ偏光なので、接合面５０９を透過する。
【０３５１】
接合面５０９を透過したＰ偏光は、第２プリズム５０４から射出され、撮像素子５０８に入射する。上述のように、撮像素子５０８は、第１領域５１３と、第２領域５１４と、を有する。接合面５０９を透過したＰ偏光は、第２領域５１４に入射する。その結果、第２領域５１４に、光学像が形成される。
【０３５２】
撮像素子５０８には、例えば、ローリングシャッタ方式が採用されている。ローリングシャッタ方式では、１ラインずつ画像情報が読み出される。撮像素子５０８は、画像処理部５１１に接続されている。読み出された画像情報は、画像処理部５１１に入力される。
【０３５３】
画像処理部５１１は、第２画像処理部５１１ｂを有する。第２画像処理部５１１ｂでは、１ラインずつ読み出された画像情報を用いて、焦点が合った画像を表示用画像として選択することができる。第２画像処理部５１１ｂが選択した１ラインずつの画像は、合成されて画像表示装置５１２に表示される。
【０３５４】
画像処理部５１１について説明する。画像処理部５１１は、例えば、中央処理演算装置（不図示）に設けられている。画像処理部５１１は、第１画像処理部５１１ａと、第２画像処理部５１１ｂと、第３画像処理部５１１ｃと、第４画像処理部５１１ｄと、第５画像処理部５１１ｅと、を有している。
【０３５５】
第１画像処理部５１１ａでは、第１領域５１３から取得された画像（以下「第１画像」という）の向きと、第２領域５１４から取得された画像（以下「第２画像」という）の向きが補正される。画像の向きの補正では、例えば、画像が回転される。
【０３５６】
第１画像の向きと、第２画像の向きは、各々、第１領域５１３に形成される光学像（以下「第１光学像」という）の向きと、第２領域５１４に形成される光学像（以下「第２光学像」という）の向きによって決まる。
【０３５７】
図３３は、物体、対物光学系、及び光路分割素子の位置関係を示す図である。例えば、図３３に示すような”Ｆ”の文字を観察する場合について説明する。第１光学像の向きと、第２光学像の向きは、各々、図３２（Ｂ）に示すような向きになる。
【０３５８】
図３２（Ｂ）に示すように、第１光学像と第２光学像は、互いに鏡像の関係になっている。更に、紙面の上下方向を正立方向とすると、第１光学像と第２光学像は、正立方向から９０度回転している。
【０３５９】
そこで、物体の画像を画像表示装置５１２に表示させる場合には、第１画像処理部５１１ａで、第１画像を、第１領域５１３の中心点を中心として９０度回転させる。第２画像についても、領域５１４の中心点を中心として９０度回転させる。そして、第２画像については、画像を反転させて鏡像を補正する。
【０３６０】
第１画像処理部５１１ａによる処理が終ると、第２画像処理部５１１ｂによる処理が実行される。ただし、必要に応じて、第２画像処理部５１１ｂによる処理を実行する前に、第３画像処理部５１１ｃ、第４画像処理部５１１ｄ、及び第５画像処理部５１１ｅのうちの少なくとも１つの処理を実行しても良い。
【０３６１】
第３画像処理部５１１ｃは、第１画像のホワイトバランスと第２画像のホワイトバランスが、調整可能に構成されている。第４画像処理部５１１ｄは、第１画像の中心位置と第２画像の中心位置が、移動可能又は選択可能に構成されている。第５画像処理部５１１ｅは、第１画像の表示範囲と第２画像の表示範囲が、調整可能に構成されている。また、第５画像処理部５１１ｅでは、表示範囲に代えて、表示倍率が調整可能に構成されていても良い。
【０３６２】
第２画像処理部５１１ｂは、第１画像と第２画像とを比較し、焦点が合った領域の画像を表示用画像として選択するように構成されている。
【０３６３】
第２画像処理部５１１ｂは、例えば、高域通過フィルタと、比較器と、切替器と、を有する。第１領域５１３と第２領域５１４の各々に、高域通過フィルタが接続されている。高域通過フィルタでは、第１画像と第２画像の各々から、高域成分が抽出される。
【０３６４】
２つの高域通過フィルタの出力は、比較器に入力される。２つの高域通過フィルタで抽出された高域成分は、比較器で比較される。比較結果は、切替器に入力される。切替器には、更に、第１領域５１３と第２領域５１４が接続されている。よって、切替器には、比較結果、第１画像の信号、及び第２画像の信号が入力されている。
【０３６５】
切替器では、比較結果に基づいて、第１画像において高域成分の多い領域と、第２画像において高域成分の多い領域とが、選択される。
【０３６６】
画像表示装置５１２は、表示領域を有している。表示領域には、第２画像処理部５１１ｂが選択した画像が表示される。画像表示装置５１２は、第１の画像と第２の画像を表示する表示領域を有していてもよい。
【産業上の利用可能性】
【０３６７】
以上のように、本発明に係る発明は、諸収差が良好に補正され、移動するレンズの外径と、移動するレンズ群の近くに位置するレンズの外径が、十分に小さい広角光学系及びそれ用いた撮像装置に適している。
【符号の説明】
【０３６８】
Ｇ１  第１レンズ群
Ｇ２  第２レンズ群
Ｇ３  第３レンズ群
Ｓ  明るさ（開口）絞り
Ｆ  フィルタ
Ｃ、Ｃ１、Ｃ２  カバーガラス
Ｐ、Ｐ１、Ｐ２  プリズム
Ｉ  像面
３００  内視鏡システム
３１０  電子内視鏡
３１０ａ  スコープ部
３１０ｂ  接続コード部
３２０  画像処理装置
３３０  表示ユニット
３４０  操作部
３４１  挿入部
３４２  先端部
３５０  ユニバーサルコード
３６０  コネクタ
４００  光学系
４０１  ライトガイド
４０２  照明レンズ
４０３  照明窓
４０４  観察部位
４０５  観察窓
４０６  広角光学系
４０７  撮像素子
５００  撮像装置
５０１  対物光学系
５０２  偏光解消板
５０３  第１プリズム
５０４  第２プリズム
５０５  第３プリズム
５０６  波長板
５０７  ミラー
５０８  撮像素子
５０９  接合面
５１０、Ｓ１、Ｓ２、Ｓ３、Ｓ４、Ｓ５  光学面
５１１  画像処理部
５１１ａ  第１画像処理部
５１１ｂ  第２画像処理部
５１１ｃ  第３画像処理部
５１１ｄ  第４画像処理部
５１１ｅ  第５画像処理部
５１２  画像表示装置
５１３  第１領域
５１４  第２領域
【図１】
2020178884.tif 000003
【図２】
2020178884.tif 000004
【図３】
2020178884.tif 000005
【図４】
2020178884.tif 000006
【図５】
2020178884.tif 000007
【図６】
2020178884.tif 000008
【図７】
2020178884.tif 000009
【図８】
2020178884.tif 000010
【図９】
2020178884.tif 000011
【図１０】
2020178884.tif 000012
【図１１】
2020178884.tif 000013
【図１２】
2020178884.tif 000014
【図１３】
2020178884.tif 000015
【図１４】
2020178884.tif 000016
【図１５】
2020178884.tif 000017
【図１６】
2020178884.tif 000018
【図１７】
2020178884.tif 000019
【図１８】
2020178884.tif 000020
【図１９】
2020178884.tif 000021
【図２０】
2020178884.tif 000022
【図２１】
2020178884.tif 000023
【図２２】
2020178884.tif 000024
【図２３】
2020178884.tif 000025
【図２４】
2020178884.tif 000026
【図２５】
2020178884.tif 000027
【図２６】
2020178884.tif 000028
【図２７】
2020178884.tif 000029
【図２８】
2020178884.tif 000030
【図２９】
2020178884.tif 000031
【図３０】
2020178884.tif 000032
【図３１】
2020178884.tif 000033
【図３２】
2020178884.tif 000034
【図３３】
2020178884.tif 000035
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
前記第３レンズ群は、接合レンズのなかで最も像側に位置する接合レンズと、最も像側に位置するレンズ成分と、を有し、
最も像側に位置する前記接合レンズは、正の屈折力を有し、
最も像側に位置する前記レンズ成分は、正の単レンズであり、
以下の条件式（１）、（５）を満足することを特徴とする広角光学系。
−０．６０＜（ｎ2C’−ｎ2C）／ｒ2C＜−０．０５      （１）
−２＜（R3R1＋R3R2）／（R3R1−R3R2）＜２      （５）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
R3R1は、前記正の単レンズの物体側の面の曲率半径、
R3R2は、前記正の単レンズの像側の面の曲率半径、
である。
【請求項２】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
以下の条件式（１）、（１３）を満足することを特徴とする広角光学系。
−０．６０＜（ｎ2C’−ｎ2C）／ｒ2C＜−０．０５      （１）
１．０１＜β2F＜１．５０      （１３）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
β2Fは、前記第１の位置における前記第２レンズ群の倍率、
である。
【請求項３】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
以下の条件式（１）、（１５）を満足することを特徴とする広角光学系。
−０．６０＜（ｎ2C’−ｎ2C）／ｒ2C＜−０．０５      （１）
０．１０＜（１−β2F2）×β3F2＜０．５５      （１５）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
β2Fは、前記第１の位置における前記第２レンズ群の倍率、
β3Fは、前記第１の位置における前記第３レンズ群の倍率、
である。
【請求項４】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
以下の条件式（１）、（１６）を満足することを特徴とする広角光学系。
−０．６０＜（ｎ2C’−ｎ2C）／ｒ2C＜−０．０５      （１）
０．２０＜（１−β2N2）×β3N2＜０．６５      （１６）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
β2Nは、前記第２の位置における前記第２レンズ群の倍率、
β3Nは、前記第２の位置における前記第３レンズ群の倍率、
である。
【請求項５】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
前記第１レンズ群は、複数の負の単レンズのみを有し、
前記複数の負の単レンズのそれぞれが、前記第３レンズ群の最も物体側の正レンズよりも大きいアッベ数を有し、
以下の条件式（１）を満足することを特徴とする広角光学系。
−０．６０＜（ｎ2C’−ｎ2C）／ｒ2C＜−０．０５      （１）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
である。
【請求項６】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
以下の条件式（１）、（１７）を満足することを特徴とする広角光学系。
−０．６０＜（ｎ2C’−ｎ2C）／ｒ2C＜−０．０５      （１）
０．２＜SD1／ｆL＜６．０      （１７）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
SD1は、前記第１レンズ群の最も物体側の面頂から前記第１レンズ群の最も像側の面頂までの距離、
ｆLは、前記第１の位置における前記広角光学系の焦点距離、
である。
【請求項７】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
前記第１レンズ群は、第４レンズ成分と、第５レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、
前記第４レンズ成分は、負レンズ成分からなり、
前記第５レンズ成分は、接合レンズからなり、
以下の条件式（１）、（１８）を満足することを特徴とする広角光学系。
−０．６０＜（ｎ2C’−ｎ2C）／ｒ2C＜−０．０５      （１）
−１．０＜ｆL／R12Fa＜０．５      （１８）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
R12Faは、前記第５レンズ成分の物体側の面の曲率半径、
ｆLは、前記第１の位置における前記広角光学系の焦点距離、
である。
【請求項８】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
像側レンズ成分と、屈折力がゼロの光学素子と、を有し、
前記像側レンズ成分は、前記複数のレンズ成分のなかで、最も像側に位置し、
前記光学素子は、前記像側レンズ成分の像側に位置し、
前記像側レンズ成分と前記光学素子は接合され、
以下の条件式（１）を満足することを特徴とする広角光学系。
−０．６０＜（ｎ2C’−ｎ2C）／ｒ2C＜−０．０５      （１）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
である。
【請求項９】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、前記第２レンズ群が、第１の位置から第２の位置に向かって移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は３つ以上のレンズ成分を有し、
前記３つ以上のレンズ成分は、第１レンズ成分と、第２レンズ成分と、を有し、前記第１レンズ成分は、前記第３レンズ群において、最も物体側に位置するレンズ成分であり、前記第２レンズ成分は、前記第３レンズ群において、物体側から２番目に位置するレンズ成分であり、
前記第１レンズ成分は単レンズで、前記第２レンズ成分は接合レンズであり、
以下の条件式（１）、（２４）を満足することを特徴とする広角光学系。
−０．６０＜（ｎ2C’−ｎ2C）／ｒ2C＜−０．０５      （１）
２ｙmax＜ｆL×tanωmax      （２４）
ここで、
ｎ2Cは、前記第２レンズ成分の接合面の物体側に位置する媒質のｄ線に対する屈折率、
ｎ2C’は、前記第２レンズ成分の接合面の像側に位置する媒質のｄ線に対する屈折率、
ｒ2Cは、前記接合面の曲率半径、
ｙmaxは、最大像高、
ωmaxは、前記最大像高に対応した画角、
ｆLは、前記第１の位置における前記広角光学系の焦点距離、
である。
【請求項１０】
前記第１レンズ成分は正の屈折力を有することを特徴とする請求項１乃至９のいずれか一項に記載の広角光学系。
【請求項１１】
｜ｎ2C’−ｎ2C｜の値が０．２５以上であることを特徴とする請求項１乃至９のいずれか一項に記載の広角光学系。
【請求項１２】
前記第３レンズ群は、４つ以上のレンズ成分を有し、かつ、
屈折率差の値が０．２５以上の接合面を２つ以上有することを特徴とする請求項１乃至９のいずれか一項に記載の広角光学系。
ここで、
前記屈折率差は、物体側屈折率と像側屈折率との差、
前記物体側屈折率は、前記レンズ成分の接合面の物体側に位置し、且つ前記接合面と隣接する媒質のｄ線に対する屈折率、
前記像側屈折率は、前記レンズ成分の接合面の像側に位置し、且つ前記接合面と隣接する媒質のｄ線に対する屈折率、
である。
【請求項１３】
前記第３レンズ群は、正の屈折力を有するレンズ成分を３つ、４つ、又は５つ含むことを特徴とする請求項１乃至９のいずれか一項に記載の広角光学系。
【請求項１４】
前記第３レンズ群の最も像側に位置する接合レンズは、物体側から順に、正レンズと、負レンズと、を有することを特徴とする請求項１乃至９のいずれか一項に記載の広角光学系。
【請求項１５】
前記第３レンズ群の最も像側に、単レンズ群が配置され、
前記単レンズ群は、２つの単レンズからなるか、又は３つの単レンズからなり、
前記単レンズ群の物体側に、接合レンズが前記単レンズ群と隣接して配置され、
前記接合レンズは、物体側から順に、正レンズと、負レンズと、を有することを特徴とする請求項１乃至９のいずれか一項に記載の広角光学系。
【請求項１６】
前記第３レンズ群の最も像側に、１つの単レンズが配置され、
前記単レンズの物体側に、接合レンズが前記単レンズと隣接して配置され、
前記接合レンズは、物体側から順に、正レンズと、負レンズと、を有することを特徴とする請求項１乃至９のいずれか一項に記載の広角光学系。
【請求項１７】
以下の条件式（２）を満足することを特徴とする請求項１乃至９のいずれか一項に記載の広角光学系。
０．０５＜ｆL／R31F＜１．２      （２）
ここで、
R31Fは、前記第１レンズ成分の物体側の面の曲率半径、
ｆLは、前記第１の位置における前記広角光学系の焦点距離、
である。
【請求項１８】
前記第３レンズ群は、Ｎ枚の接合面SNi（i＝１、２、…Ｎ）を含み、
以下の条件式（３）を満足することを特徴とする請求項１乃至９のいずれか一項に記載の広角光学系。
−１．０＜ｆL×ΣPSNi＜−０．０５      （３）
ここで、
PSNiは、前記接合面SNiの屈折力であって、以下の式（４）で表され、
PSNi＝（ｎSNi’−ｎSNi）／ｒSNi      （４）
ｎSNiは、前記接合面SNiの物体側に位置する媒質のｄ線に対する屈折率、
ｎSNi’は、前記接合面SNiの像側に位置する媒質のｄ線に対する屈折率、
ｒSNiは、前記接合面SNiの光軸近傍における曲率半径、
ｆLは、前記第１の位置における前記広角光学系の焦点距離、
である。
【請求項１９】
前記第３レンズ群は、接合レンズのなかで最も像側に位置する接合レンズと、最も像側に位置するレンズ成分と、を有し、
最も像側に位置する前記接合レンズは、負の屈折力を有し、
最も像側に位置する前記レンズ成分は、正の単レンズであり、
以下の条件式（６）を満足することを特徴とする請求項１乃至１８のいずれか一項に記載の広角光学系。
−５＜（’R3R1＋’R3R2）／（’R3R1−’R3R2）＜１      （６）
ここで、
’R3R1は、前記正の単レンズの物体側の面の曲率半径、
’R3R2は、前記正の単レンズの像側の面の曲率半径、
である。
【請求項２０】
前記第３レンズ群の最も像側に位置する接合面が、以下の条件式（７）を満足することを特徴とする請求項１乃至１８のいずれか一項に記載の広角光学系。
−１．０＜ｆL／ｒSNr＜０．６      （７）
ここで、
ｒSNrは、前記最も像側に位置する接合面の光軸近傍における曲率半径、
ｆLは、前記第１の位置における前記広角光学系の焦点距離、
である。
【請求項２１】
前記第３レンズ群は、複数の正レンズを有し、
前記複数の正レンズは、第１正レンズと、第２正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、
以下の条件式（８）を満足することを特徴とする請求項１乃至１８のいずれか一項に記載の広角光学系。
−７０＜ν31P−ν32P＜２０      （８）
ここで、
ν31Pは、前記第１正レンズのアッベ数、
ν32Pは、前記第２正レンズのアッベ数、
である。
【請求項２２】
前記第３レンズ群は、複数の正レンズを有し、
前記複数の正レンズは、第１正レンズと、第２正レンズと、第３正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、前記第３正レンズは、前記複数の正レンズのなかで、物体側から３番目に位置する正レンズであり、
以下の条件式（９）を満足することを特徴とする請求項１乃至１８のいずれか一項に記載の広角光学系。
−４０＜ν33P−（ν31P＋ν32P）／２＜６０      （９）
ここで、
ν31Pは、前記第１正レンズのアッベ数、
ν32Pは、前記第２正レンズのアッベ数、
ν33Pは、前記第３正レンズのアッベ数、
である。
【請求項２３】
前記第３レンズ群は、複数の負レンズを有し、
前記複数の負レンズは、第１負レンズと、第２負レンズと、を有し、前記第１負レンズは、前記複数の負レンズのなかで、最も物体側に位置する負レンズであり、前記第２負レンズは、前記複数の負レンズのなかで、物体側から２番目に位置する負レンズであり、
以下の条件式（１０）を満足することを特徴とする請求項１乃至１８のいずれか一項に記載の広角光学系。
−３０＜ν31N−ν32N＜４０      （１０）
ここで、
ν31Nは、前記第１負レンズのアッベ数、
ν32Nは、前記第２負レンズのアッベ数、
である。
【請求項２４】
前記第３レンズ群は焦点位置調節時には固定であることを特徴とする請求項１乃至１８のいずれか一項に記載の広角光学系。
【請求項２５】
以下の条件式（１１）を満足することを特徴とする請求項１乃至１８のいずれか一項に記載の広角光学系。
−５０＜（R21F＋R21R）／（R21F−R21R）＜１０      （１１）
ここで、
R21Fは、所定のレンズ成分の物体側の面の曲率半径、
R21Rは、前記所定のレンズ成分の像側の面の曲率半径、
前記所定のレンズ成分は、前記第２レンズ群で最も物体側に位置するレンズ成分、
である。
【請求項２６】
以下の条件式（１２）を満足することを特徴とする請求項１乃至１８のいずれか一項に記載の広角光学系。
０．２＜D21／ｆL＜３．０      （１２）
ここで、
D21は、前記第２レンズ群の最も物体側の面と最も像側の面との光軸上の距離、
ｆLは、前記第１の位置における前記広角光学系の焦点距離、
である。
【請求項２７】
以下の条件式（１４）を満足することを特徴とする請求項１乃至１８のいずれか一項に記載の広角光学系。
１．０１＜β2N／β2F＜１．３０      （１４）
ここで、
β2Fは、前記第１の位置における前記第２レンズ群の倍率、
β2Nは、前記第２の位置における前記第２レンズ群の倍率、
である。
【請求項２８】
前記第２レンズ群は、正レンズのみを有することを特徴とする請求項１乃至１８のいずれか一項に記載の広角光学系。
【請求項２９】
前記第１レンズ群は、第４レンズ成分と、第５レンズ成分と、第６レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、前記第６レンズ成分は、前記第１レンズ群において、物体側から３番目に位置するレンズ成分であり、
前記第４レンズ成分は、負レンズ成分からなり、
前記第５レンズ成分は、前記第４レンズ成分よりも屈折力の絶対値が小さいレンズ成分からなり、
前記第６レンズ成分は、接合レンズからなり、
以下の条件式（１９）を満足することを特徴とする請求項１乃至１８のいずれか一項に記載の広角光学系。
−１．０＜ｆL／R12Fb＜０．５      （１９）
ここで、
R12Fbは、前記第６レンズ成分の物体側の面の曲率半径、
ｆLは、前記第１の位置における前記広角光学系の焦点距離、
である。
【請求項３０】
前記第１レンズ群は、第４レンズ成分と、第５レンズ成分と、第６レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、前記第６レンズ成分は、前記第１レンズ群において、物体側から３番目に位置するレンズ成分であり、
前記第４レンズ成分は、負レンズ成分からなり、
前記第５レンズ成分は、負レンズ成分からなり、
前記第６レンズ成分は、正レンズ成分からなり、
以下の条件式（２０）を満足することを特徴とする請求項１乃至１８のいずれか一項に記載の広角光学系。
−１．０＜ｆL／R12Fc＜０．５      （２０）
ここで、
R12Fcは、前記第５レンズ成分の物体側の面の曲率半径、
ｆLは、前記第１の位置における前記広角光学系の焦点距離、
である。
【請求項３１】
前記第１レンズ群は、負レンズ成分と、正レンズ成分と、を有し、
以下の条件式（２１）を満足することを特徴とする請求項１乃至１８のいずれか一項に記載の広角光学系。
−０．４＜ｆL／R12R＜０．０２      （２１）
ここで、
R12Rは、前記正レンズ成分の像側の面の曲率半径、
ｆLは、前記第１の位置における前記広角光学系の焦点距離、
である。
【請求項３２】
前記第１レンズ群は、第４レンズ成分と、第５レンズ成分と、を有し、前記第４レンズ成分は、前記第１レンズ群において、最も物体側に位置するレンズ成分であり、前記第５レンズ成分は、前記第１レンズ群において、物体側から２番目に位置するレンズ成分であり、
以下の条件式（２２）を満足することを特徴とする請求項１乃至１８のいずれか一項に記載の広角光学系。
−１．０＜ｆL／ｆL12＜０．４      （２２）
ここで、
ｆL12は、前記第５レンズ成分の焦点距離、
ｆLは、前記第１の位置における前記広角光学系の焦点距離、
である。
【請求項３３】
以下の条件式（２３）を満足することを特徴とする請求項１乃至３２のいずれか一項に記載の広角光学系。
１００×｜ｆfin｜＜｜Ｒfin｜      （２３）
ここで、
ｆfinは、像側レンズ成分の焦点距離、
Ｒfinは、前記像側レンズ成分の像側の面の曲率半径、
前記像側レンズ成分は、前記複数のレンズ成分のなかで、最も像側に位置するレンズ成分、
である。
【請求項３４】
以下の条件式（２５）を満足することを特徴とする請求項１乃至９に記載の広角光学系。
ＥＲ2＜４×ｆL／ＦEX      （２５）
ここで、
ＥＲ2は、前記第２レンズ成分の最も像側の面の有効半径、
ＦEXは、前記第１の位置における有効Ｆ値、
ｆLは、前記第１の位置における前記広角光学系の焦点距離、
である。
【請求項３５】
光学系と、像面に配置された撮像素子と、を有し、
前記撮像素子は撮像面を有し、且つ前記光学系によって前記撮像面上に形成された像を電気信号に変換し、
前記光学系が請求項１乃至３４のいずれか一項に記載の広角光学系であることを特徴とする撮像装置。
【手続補正２】
【補正対象書類名】明細書
【補正対象項目名】０００４
【補正方法】変更
【補正の内容】
【０００４】
しかし、近年では、観察像質を向上するために、画素数が多い撮像素子が用いられるようになってきた。画素数が多い撮像素子が用いられる内視鏡では、光学系にも高い分解能が要求される。
【手続補正３】
【補正対象書類名】明細書
【補正対象項目名】００１３
【補正方法】変更
【補正の内容】
【００１３】
上述した課題を解決し、目的を達成するために、本発明の少なくとも幾つかの実施形態に係る広角光学系は、
レンズ成分を有する広角光学系であって、
レンズ成分は、複数の光学面を有し、
レンズ成分では、２つの光学面が空気と接触し、且つ、少なくとも１つの光学面が曲面であり、
物体側から順に、負の屈折力を有する第１レンズ群と、正の屈折力を有する第２レンズ群と、正の屈折力を有する第３レンズ群と、を備え、
遠点から近点に焦点位置調節するときに、第２レンズ群が、第１の位置から第２の位置に向かって移動し、第１の位置は、第１レンズ群と第２レンズ群との間隔が最小となる位置であり、第２の位置は、第２レンズ群と第３レンズ群との間隔が最小となる位置であり、
第３レンズ群は３つ以上のレンズ成分を有し、
３つ以上のレンズ成分は、第１レンズ成分と、第２レンズ成分と、を有し、第１レンズ成分は、第３レンズ群において、最も物体側に位置するレンズ成分であり、第２レンズ成分は、第３レンズ群において、物体側から２番目に位置するレンズ成分であり、
第１レンズ成分は単レンズで、第２レンズ成分は接合レンズであり、
以下の（ａ）〜（ｉ）の何れか１つを備えると共に、
以下の条件式（１）を満足することを特徴とする。
−０．６０＜（ｎ2C’−ｎ2C）／ｒ2C＜−０．０５      （１）
ここで、
ｎ2Cは、第２レンズ成分の接合面の物体側に位置する媒質のｄ線に対する屈折率、
ｎ2C’は、第２レンズ成分の接合面の像側に位置する媒質のｄ線に対する屈折率、
ｒ2Cは、接合面の曲率半径、
である。
（ａ）第３レンズ群は、接合レンズのなかで最も像側に位置する接合レンズと、最も像側に位置するレンズ成分と、を有し、
最も像側に位置する接合レンズは、正の屈折力を有し、
最も像側に位置するレンズ成分は、正の単レンズであり、
以下の条件式（５）を満足する。
−２＜（R3R1＋R3R2）／（R3R1−R3R2）＜２      （５）
ここで、
R3R1は、正の単レンズの物体側の面の曲率半径、
R3R2は、正の単レンズの像側の面の曲率半径、
である。
（ｂ）以下の条件式（１３）を満足する。
１．０１＜β2F＜１．５０      （１３）
ここで、
β2Fは、第１の位置における第２レンズ群の倍率、
である。
（ｃ）以下の条件式（１５）を満足する。
０．１０＜（１−β2F2）×β3F2＜０．５５      （１５）
ここで、
β2Fは、第１の位置における第２レンズ群の倍率、
β3Fは、第１の位置における第３レンズ群の倍率、
である。
（ｄ）以下の条件式（１６）を満足する。
０．２０＜（１−β2N2）×β3N2＜０．６５      （１６）
ここで、
β2Nは、第２の位置における第２レンズ群の倍率、
β3Nは、第２の位置における第３レンズ群の倍率、
である。
（ｅ）第１レンズ群は、複数の負の単レンズのみを有し、
複数の負の単レンズのそれぞれが、第３レンズ群の最も物体側の正レンズよりも大きいアッベ数を有する。
（ｆ）以下の条件式（１７）を満足する。
０．２＜SD1／ｆL＜６．０      （１７）
ここで、
SD1は、第１レンズ群の最も物体側の面頂から第１レンズ群の最も像側の面頂までの距離、
ｆLは、第１の位置における広角光学系の焦点距離、
である。
（ｇ）第１レンズ群は、第４レンズ成分と、第５レンズ成分と、を有し、第４レンズ成分は、第１レンズ群において、最も物体側に位置するレンズ成分であり、第５レンズ成分は、第１レンズ群において、物体側から２番目に位置するレンズ成分であり、
第４レンズ成分は、負レンズ成分からなり、
第５レンズ成分は、接合レンズからなり、
以下の条件式（１８）を満足する。
−１．０＜ｆL／R12Fa＜０．５      （１８）
ここで、
R12Faは、第５レンズ成分の物体側の面の曲率半径、
ｆLは、第１の位置における広角光学系の焦点距離、
である。
（ｈ）像側レンズ成分と、屈折力がゼロの光学素子と、を有し、
像側レンズ成分は、複数のレンズ成分のなかで、最も像側に位置し、
光学素子は、像側レンズ成分の像側に位置し、
像側レンズ成分と光学素子は接合されている。
（ｉ）以下の条件式（２４）を満足する。
２ｙmax＜ｆL×tanωmax      （２４）
ここで、
ｙmaxは、最大像高、
ωmaxは、最大像高に対応した画角、
ｆLは、第１の位置における広角光学系の焦点距離、
である。
【手続補正４】
【補正対象書類名】明細書
【補正対象項目名】００６３
【補正方法】変更
【補正の内容】
【００６３】
本実施形態の広角光学系では、第３レンズ群は、Ｎ枚の接合面SNiを含んでいる。Ｎ枚の接合面SNiは、像面湾曲の補正を主な目的として用いられている。接合面SNiには、低屈折率の正レンズと高屈折率の負レンズとの接合によって形成された接合面が用いられている。そのため、接合面SNiは、強い発散性を有する。
【手続補正５】
【補正対象書類名】明細書
【補正対象項目名】０３６７
【補正方法】変更
【補正の内容】
【０３６７】
以上のように、本発明は、諸収差が良好に補正され、移動するレンズの外径と、移動するレンズ群の近くに位置するレンズの外径が、十分に小さい広角光学系及びそれ用いた撮像装置に適している。
【手続補正６】
【補正対象書類名】図面
【補正対象項目名】図６
【補正方法】変更
【補正の内容】
【図６】
2020178884.tif 000036
【手続補正７】
【補正対象書類名】図面
【補正対象項目名】図９
【補正方法】変更
【補正の内容】
【図９】
2020178884.tif 000037
【手続補正８】
【補正対象書類名】図面
【補正対象項目名】図１１
【補正方法】変更
【補正の内容】
【図１１】
2020178884.tif 000038
【国際調査報告】
2020178884.tif 000039
2020178884.tif 000040
2020178884.tif 000041
2020178884.tif 000042